(57)【要約】  非同期移動通信システムにおける向上した上りリンクチャンネルを介してのデータの伝送時、最大電力対平均電力比の低減のための直交可変拡散コードコードと直交位相チャンネルの割り当て方法及び装置を提供する。本発明は、非同期符号分割多重接続システムにおいて向上した上りリンク専用伝送チャンネル（ＥＵＤＣＨ）が用いられる状況を想定する。ユーザー端末において、既存の物理チャンネルにＥＵＤＣＨデータの伝送のための物理チャンネルがさらに伝送される場合、上りリンク送信信号のＰＡＰＲの増加が生じる。ＰＡＰＲの増加は、当該物理チャンネルに適用されている直交可変拡散率（ＯＶＳＦ）コード及びＩ／Ｑチャンネルによって異なる。このため、本発明においては、ＥＵＤＣＨによるＰＡＰＲの増加を極力抑えるために、ＥＵＤＣＨ関係の物理チャンネルに最適なＯＶＳＦコード及びＩ／Ｑチャンネルを割り当てる装置及び方法を提案する。
2007535233.tif 000002
【特許請求の範囲】
【請求項１】
移動通信システムにおける向上したパケットサービスを支援する方法において、
最大伝送可能な上り物理チャンネルの数を考慮して、直交（Ｑ）チャンネルに向上したパケットデータを伝送するためのデータチャンネルを割り当てるステップと、
前記向上したパケットデータのデータレートを保証するために、同相（Ｉ）チャンネルに向上したパケットデータを伝送するためのデータチャンネルをさらに割り当てるステップと、を含むことを特徴とする前記方法。
【請求項２】
高速パケットサービスを支援する場合、前記最大伝送可能な上り物理チャンネルの数を考慮して、Ｉチャンネルに向上したパケットデータを伝送するためのデータチャンネルを割り当てることを特徴とする請求項１に記載の前記方法。
【請求項３】
高速パケットサービスを支援する場合、前記向上したパケットデータのデータレートを保証するために、Ｑチャンネルに向上したパケットデータを伝送するためのデータチャンネルをさらに割り当てることを特徴とする請求項１に記載の前記方法。
【請求項４】
前記向上したパケットデータを伝送するためのデータチャンネルには、直交可変拡散率（ＯＶＳＦ）コード（ＳＦ、ＳＦ／２）が割り当てられることを特徴とする請求項１に記載の前記方法。
【請求項５】
前記データチャンネルの拡散率は、２、４、８、１６、３２、６４、１２８、２５６であることを特徴とする請求項４に記載の前記方法。
【請求項６】
前記向上したパケットデータを伝送するためのデータチャンネルに関する制御情報を伝送するための向上した制御チャンネルには、Ｉチャンネルに直交可変拡散率（ＯＶＳＦ）コード（ＳＦ、１）が割り当てられることを特徴とする請求項１に記載の前記方法。
【請求項７】
前記向上した制御チャンネルの拡散率は、８、１６、３２、６４、１２８、２５６であることを特徴とする請求項６に記載の前記方法。
【請求項８】
移動通信システムにおけるパケットデータを伝送する方法において、
直交可変拡散率（ＯＶＳＦ）コード（２５６、０）とＱチャンネルを用いて専用物理制御チャンネル（ＤＰＣＣＨ）を生成するステップと、
専用物理データチャンネル（ＤＰＤＣＨ）の拡散率がＳＦＤＰＤＣＨであるとしたとき、前記ＯＶＳＦコード（ＳＦＤＰＤＣＨ、ＳＦＤＰＤＣＨ／４）とＩチャンネルを用いてＤＰＤＣＨを生成するステップと、
向上した上りリンクパケットデータの伝送を支援するための拡張専用物理制御チャンネル（Ｅ−ＤＰＣＣＨ）に割り当てられるＯＶＳＦコードの拡散率がＳＦＥ−ＤＰＣＣＨであるとしたとき、ＯＶＳＦコード（ＳＦＥ−ＤＰＣＣＨ、１）とＩチャンネルを用いてＥ−ＤＰＣＣＨを生成するステップと、
前記向上した上りリンクパケットデータの伝送を支援するための拡張専用物理データチャンネル（Ｅ−ＤＰＤＣＨ）に割り当てられるＯＶＳＦコードの拡散率がＳＦＥ−ＤＰＤＣＨであるとしたとき、ＯＶＳＦコード（ＳＦＥ−ＤＰＤＣＨ、ＳＦＥ−ＤＰＤＣＨ／２）とＱチャンネルを用いてＥ−ＤＰＤＣＨを生成するステップと、を含むことを特徴とする前記方法。
【請求項９】
ＳＦＥ−ＤＰＤＣＨが４であり、且つ、同時に２本のＥ−ＤＰＤＣＨを伝送する場合、それぞれＩチャンネル及びＱチャンネルにおいてＯＶＳＦコード（４、２）により拡散されるＥ−ＤＰＤＣＨ１とＥ−ＤＰＤＣＨ２を同時に生成するステップをさらに含むことを特徴とする請求項８に記載の前記方法。
【請求項１０】
ＳＦＥ−ＤＰＤＣＨが２であり、且つ、同時に２本のＥ−ＤＰＤＣＨを伝送する場合、それぞれＩチャンネル及びＱチャンネルにおいてＯＶＳＦコード（２、１）により拡散されるＥ−ＤＰＤＣＨ１とＥ−ＤＰＤＣＨ２を生成するステップをさらに含むことを特徴とする請求項８に記載の前記方法。
【請求項１１】
ＳＦＥ−ＤＰＤＣＨが２であり、且つ、１本のＥ−ＤＰＤＣＨを伝送する場合、ＱチャンネルにおいてＯＶＳＦコード（２、１）により拡散されるＥ−ＤＰＤＣＨを生成するステップをさらに含むことを特徴とする請求項８に記載の前記方法。
【請求項１２】
Ｅ−ＤＰＣＣＨを伝送する場合、ＩチャンネルにおいてＯＶＳＦコード（２５６、１）により拡散されるＥ−ＤＰＣＣＨを生成することを特徴とする請求項８に記載の前記方法。
【請求項１３】
下りリンク高速パケット接続（ＨＳＤＰＡ）サービスがなされている場合、ＯＶＳＦコード（２５６、６４）とＱチャンネルを用いて高速専用物理制御チャンネル（ＨＳ−ＤＰＣＣＨ）を生成するステップをさらに含むことを特徴とする請求項８に記載の前記方法。
【請求項１４】
前記ＤＰＤＣＨが伝送されていない場合、ＯＶＳＦコード（４、１）を用いて３番目のＥ−ＤＰＣＣＨ及び４番目のＥ−ＤＰＣＣＨを生成するステップをさらに含むことを特徴とする請求項８に記載の前記方法。
【請求項１５】
３番目のＥ−ＤＰＣＣＨはＯＶＳＦコード（４、１）とＩチャンネルを用いて生成し、且つ、４番目のＥ−ＤＰＣＣＨはＯＶＳＦコード（４、１）とＱチャンネルを用いて生成するステップをさらに含むことを特徴とする請求項１４に記載の前記方法。
【請求項１６】
向上した上りリンクパケットデータの伝送を支援する移動通信システムにおける上りリンクパケットデータを伝送する装置において、
最大伝送可能な専用物理チャンネルの数を考慮して向上した上りデータチャンネルの数を決め、前記向上したデータの伝送速度に応じて、Ｑチャンネル及びＩチャンネル上の前記少なくとも１つ以上の向上した上りデータチャンネルに、直交可変拡散率（ＯＶＳＦ）コード（ＳＦ、ＳＦ／２）を交互に割り当てる伝送制御部と、
前記伝送制御部において決められた前記向上した上りデータチャンネルの数に応じて、ＱチャンネルとＩチャンネルにおいて向上した上りデータチャンネルを交互に生成し、前記ＯＶＳＦコードに応じて、前記パケットデータを拡散して伝送する伝送部と、を備えることを特徴とする前記伝送装置。
【請求項１７】
前記伝送制御部は、前記向上した上りデータチャンネルに関する制御情報を伝送するために、向上した上り制御チャンネルにＩチャンネルとＯＶＳＦコード（ＳＦ、１）を割り当てることを特徴とする請求項１６に記載の前記装置。
【請求項１８】
前記向上した上りデータチャンネルの拡散率は、２、４、８、１６、３２、６４、１２８、２５６であることを特徴とする請求項１６に記載の前記装置。
【請求項１９】
前記向上した上り制御チャンネルの拡散率は、８、１６、３２、６４、１２８、２５６であることを特徴とする請求項１６に記載の前記装置。
【請求項２０】
上りリンクパケットデータの伝送を支援する移動通信システムにおけるデータを伝送する方法において、
前記上りリンクパケットデータの伝送のために伝送率を考慮して直交コードを割り当て、前記直交コードを用いて前記パケットデータを拡散するステップと、
前記拡散されたパケットデータ信号を他の直交コードを用いて拡散された信号に加算するステップと、
前記加算された拡散信号をアンテナを介して伝送するステップと、を含み、
ここで、ＳＦＥ−ＤＰＤＣＨが拡散率であるとしたとき、専用物理チャンネル（ＤＰＤＣＨ）と高速な順方向パケットのための専用物理チャンネル（ＨＳ−ＤＰＣＣＨ）が設定されていない場合、前記上りリンクパケットデータの伝送のために、Ｉチャンネルにおいて直交コード（ＳＦＥ−ＤＰＤＣＨ、ＳＦＥ−ＤＰＤＣＨ／４）が割り当てられることを特徴とする前記方法。
【請求項２１】
前記ＳＦＥ−ＤＰＤＣＨは、４、８、１６、３２、６４、１２８、２５６、５１２のうちいずれか一つであることを特徴とする請求項２０に記載の前記方法。
【請求項２２】
前記ＳＦＥ−ＤＰＤＣＨが４であり、且つ、前記伝送率を満足できない場合、Ｉチャンネルにおいて直交コード（２、１）が割り当てられることを特徴とする請求項２０に記載の前記方法。
【請求項２３】
前記パケットデータの伝送のために２つの直交コードを割り当てる場合、Ｉチャンネルにおける直交コード（２、１）と、Ｑチャンネルにおける直交コード（２、１）が割り当てられることを特徴とする請求項２０に記載の前記方法。
【請求項２４】
前記パケットデータの伝送のために４個の直交コードを割り当てる場合、Ｉチャンネル及びＱチャンネルにおける直交コード（２、１）と、Ｉチャンネル及びＱチャンネルにおける直交コード（４、１）が割り当てられることを特徴とする請求項２０に記載の前記方法。
【請求項２５】
上りリンクパケットデータの伝送を支援する移動通信システムにおけるデータを伝送する方法において、
前記上りリンクパケットデータの伝送のために伝送率を考慮して直交コードを割り当て、前記直交コードを用いて前記パケットデータを拡散するステップと、
前記拡散されたパケットデータ信号を他の直交コードを用いて拡散された信号に加算するステップと、
前記加算された拡散信号をアンテナを介して伝送するステップと、を含み、
ここで、ＳＦＥ−ＤＰＤＣＨが拡散率であるとしたとき、高速な順方向パケットのための専用物理チャンネル（ＨＳ−ＤＰＣＣＨ）が設定されていない場合、前記上りリンクパケットデータの伝送のために、Ｑチャンネルにおいて直交コード（ＳＦＥ−ＤＰＤＣＨ、ＳＦＥ−ＤＰＤＣＨ／４）が割り当てられることを特徴とする前記方法。
【請求項２６】
前記ＳＦＥ−ＤＰＤＣＨは、４、８、１６、３２、６４、１２８、２５６、５１２のうちいずれか一つであることを特徴とする請求項２５に記載の前記方法。
【請求項２７】
前記ＳＦＥ−ＤＰＤＣＨが４であり、且つ、前記伝送率を満足できない場合、Ｑチャンネルにおける直交コード（２、１）が割り当てられることを特徴とする請求項２５に記載の前記方法。
【請求項２８】
前記パケットデータのために２つの直交コードを割り当てる場合、Ｑチャンネルにおける直交コード（２、１）と、Ｉチャンネルにおける直交コード（２、１）が割り当てられることを特徴とする請求項２５に記載の前記方法。
【請求項２９】
前記パケットデータのために４個の直交コードを割り当てる場合、Ｑチャンネル及びＩチャンネルにおける直交コード（２、１）と、Ｑチャンネル及びＩチャンネルにおける直交コード（４、１）が割り当てられることを特徴とする請求項２５に記載の前記方法。
【請求項３０】
上りリンクパケットデータの伝送を支援する移動通信システムにおけるデータを伝送する方法において、
前記上りリンクパケットデータの伝送のために伝送率を考慮して直交コードを割り当て、前記直交コードを用いて前記パケットデータを拡散するステップと、
前記拡散されたパケットデータ信号を他の直交コードを用いて拡散された信号に加算するステップと、
前記加算された拡散信号をアンテナを介して伝送するステップと、を含み、
ここで、ＳＦＥ−ＤＰＤＣＨが拡散率であるとしたとき、高速な順方向パケットのための専用物理チャンネル（ＨＳ−ＤＰＣＣＨ）が設定されている場合、Ｑチャンネルにおいて直交コード（ＳＦＥ−ＤＰＣＣＨ、１）ないし直交コード（ＳＦＥ−ＤＰＣＣＨ、ＳＦＥ−ＤＰＣＣＨ／８）のうちいずれか１つを選択して前記上りリンクパケットデータの伝送のための制御チャンネルに割り当てることを特徴とする前記方法。
【請求項３１】
前記ＳＦＥ−ＤＰＣＣＨは、８、１６、３２、６４、１２８、２５６、５１２のうちいずれか１つであることを特徴とする請求項３０に記載の前記方法。
【請求項３２】
上りリンクパケットデータの伝送を支援する移動通信システムにおけるデータを伝送する方法において、
前記上りリンクパケットデータの伝送のために伝送率を考慮して直交コードを割り当て、前記直交コードを用いて前記パケットデータを拡散するステップと、
前記拡散されたパケットデータ信号を他の直交コードを用いて拡散された信号に加算するステップと、
前記加算された拡散信号をアンテナを介して伝送するステップと、を含み、
ここで、ＳＦＥ−ＤＰＤＣＨが拡散率であるとしたとき、専用物理チャンネル（ＤＰＤＣＨ）が存在しなければ、高速な順方向パケットのための専用物理チャンネル（ＨＳ−ＤＰＣＣＨ）によらずに、Ｑチャンネルにおいて直交コード（ＳＦＥ−ＤＰＣＣＨ、１）ないし直交コード（ＳＦＥ−ＤＰＣＣＨ、ＳＦＥ−ＤＰＣＣＨ／８）のうちいずれか１つを選択して前記上りリンクパケットデータの伝送のための制御チャンネルに割り当てることを特徴とする前記方法。
【請求項３３】
移動通信システムにおけるパケットデータを伝送する方法において、
直交可変拡散率（ＯＶＳＦ）コード（２５６、０）とＱチャンネルを用いて専用物理制御チャンネル（ＤＰＣＣＨ）を生成するステップと、
専用物理データチャンネル（ＤＰＤＣＨ）の拡散率がＳＦＤＰＤＣＨであるとしたとき、前記ＯＶＳＦコード（ＳＦＤＰＤＣＨ、ＳＦＤＰＤＣＨ／４）とＩチャンネルを用いてＤＰＤＣＨを生成するステップと、
向上した上りリンクパケットデータの伝送を支援するための専用制御チャンネル（Ｅ−ＤＰＣＣＨ）に割り当てられるＯＶＳＦコードの拡散率がＳＦＥ−ＤＰＣＣＨであるとしたとき、ＯＶＳＦコード（ＳＦＥ−ＤＰＣＣＨ、１）とＩチャンネルを用いてＥ−ＤＰＣＣＨを生成するステップと、
前記向上した上りリンクパケットデータの伝送を支援するための専用データチャンネル（Ｅ−ＤＰＤＣＨ）に割り当てられるＯＶＳＦコードの拡散率がＳＦＥ−ＤＰＤＣＨであるとしたとき、Ｅ−ＤＰＤＣＨにＯＶＳＦコード（ＳＦＥ−ＤＰＤＣＨ、ＳＦＥ−ＤＰＤＣＨ／２）を割り当てるステップと、を含み、
ここで、ＨＳ−ＤＰＣＣＨが形成されている場合、Ｉチャンネルを用いてＥ−ＤＰＣＣＨを生成し、ＨＳ−ＤＰＣＣＨが形成されていない場合、Ｑチャンネルを用いてＥ−ＤＰＣＣＨを生成することを特徴とする前記方法。
【請求項３４】
ＳＦＥ−ＤＰＤＣＨが４であり、且つ、同時に２本のＥ−ＤＰＤＣＨを伝送する場合、それぞれＩチャンネル及びＱチャンネルにおいてＯＶＳＦコード（４、２）により拡散されるＥ−ＤＰＤＣＨ１とＥ−ＤＰＤＣＨ２を同時に生成するステップをさらに含むことを特徴とする請求項３３に記載の前記方法。
【請求項３５】
ＳＦＥ−ＤＰＤＣＨが２であり、且つ、同時に２本のＥ−ＤＰＤＣＨを伝送する場合、それぞれＩチャンネル及びＱチャンネルにおいてＯＶＳＦコード（２、１）により拡散されるＥ−ＤＰＤＣＨ１とＥ−ＤＰＤＣＨ２を生成するステップをさらに含むことを特徴とする請求項３３に記載の前記方法。
【請求項３６】
ＳＦＥ−ＤＰＤＣＨが２であり、且つ、１本のＥ−ＤＰＤＣＨを伝送する場合、ＱチャンネルにおいてＯＶＳＦコード（２、１）により拡散されるＥ−ＤＰＤＣＨを生成するステップをさらに含むことを特徴とする請求項３３に記載の前記方法。
【請求項３７】
Ｅ−ＤＰＣＣＨを伝送する場合、ＩチャンネルにおいてＯＶＳＦコード（２５６、１）により拡散されるＥ−ＤＰＣＣＨを生成することを特徴とする請求項３３に記載の前記方法。
【請求項３８】
下りリンク高速パケット接続（ＨＳＤＰＡ）サービスがなされている場合、ＯＶＳＦコード（２５６、６４）とＱチャンネルを用いてＨＳ−ＤＰＣＣＨを生成するステップをさらに含むことを特徴とする請求項３３に記載の前記方法。
【請求項３９】
前記ＤＰＤＣＨが伝送されていない場合、ＯＶＳＦコード（４、１）を用いて３番目と４番目のＥ−ＤＰＣＣＨを生成するステップをさらに含むことを特徴とする請求項３３に記載の前記方法。
【請求項４０】
３番目のＥ−ＤＰＣＣＨはＯＶＳＦコード（４、１）とＩチャンネルを用いて生成し、且つ、４番目のＥ−ＤＰＣＣＨはＯＶＳＦコード（４、１）とＱチャンネルを用いて生成するステップをさらに含むことを特徴とする請求項３９に記載の前記方法。
【発明の詳細な説明】
【技術分野】
【０００１】
本発明は、非同期広帯域符号分割多重接続（Wideband Code Division Multiple Access、以下、「ＷＣＤＭＡ」と称する。）通信システムに係り、さらに詳しくは、向上した上りリンク専用伝送チャンネル（Enhanced Uplink Dedicated transport Channel、以下、「ＥＵＤＣＨ」と称する。）を介してデータを伝送するとき、送信信号の最大電力対平均電力の比（Peak-to-Average Power Ratio、以下、「ＰＡＰＲ」と称する。）の増加を極力抑える装置及び方法に関する。
【０００２】
すなわち、本発明は、上記ＥＵＤＣＨサービスによる上りリンク物理チャンネルへの最適な直交可変拡散率（Orthogonal Variable Spreading Factor、以下、「ＯＶＳＦ」と称する。）コード及びＩ／Ｑ（in-phase/quadrature-phase）チャンネルの割り当て装置及び方法を提案する。
【背景技術】
【０００３】
現在、ＷＣＤＭＡシステムの上りリンクにおける、ユーザー信号の伝送のために用いられる代表的な専用物理チャンネルとして、専用の物理データチャンネル（Dedicated Physical Data Channel、以下、「ＤＰＤＣＨ」と称する。）と、専用の物理制御チャンネル（Dedicated Physical Control Channel、以下、「ＤＰＣＣＨ」と称する。）がある。ここで、上記ＤＰＤＣＨは、音声や映像などのユーザーデータが伝送されるデータ伝送チャンネルであり、上記ＤＰＣＣＨは、ＤＰＤＣＨのフレームフォーマットと、ＤＰＤＣＨの復調及び電力制御のためのパイロットなどの情報が載せられる制御情報伝送チャンネルである。
【０００４】
これと関連し、近年、上りリンクにおいてパケットデータの伝送速度及び効率を高めるために、向上した上りリンクデータ専用の伝送チャンネルであるＥＵＤＣＨを用いる技術が提案されている。本発明は、ＷＣＤＭＡシステムにおいてＥＵＤＣＨが用いられる状況を想定する。
【０００５】
図１は、上りリンク伝送を行うためにユーザー端末と基地局との間に送受される情報を示す図である。
【０００６】
図１を参照すると、ＵＥ１１０、１１２、１１４、１１６は、上記ノードＢ１００との離隔距離に応じて、相異なる送信電力をもって上記パケットデータを送信している。上記ノードＢ１００から最も遠くにある上記ＵＥ１１０は、最も高い逆方向チャンネルの送信電力１２０をもってパケットデータを送信し、上記ノードＢから最も近くにある上記ＵＥ１１４は、最も低い逆方向チャンネルの送信電力１２４をもって上記パケットデータを送信する。上記ノードＢ１００は、上記移動通信システムの性能を高めるために、上記逆方向チャンネルの送信電力の強度と上記データレートとが反比例するようにスケジューリングすることができる。すなわち、逆方向チャンネルの送信電力が最も高いＵＥに対しては低いデータレートを割り当て、上記逆方向チャンネルの送信電力が最も低いＵＥに対しては高いデータレートを割り当てる。
【０００７】
図２は、上りリンク伝送を行うためにユーザー端末と基地局との間に送受される情報を示す図である。すなわち、図２は、ＥＵＤＣＨを介してパケットデータを伝送するために、ノードＢ２００とＵＥ２０２との間に行われる基本的な手続きを示している。
【０００８】
図２を参照すると、ステップＳ２１０において、上記ノードＢ２００と上記ＵＥ２０２との間にＥＵＤＣＨを設定する。上記ステップＳ２１０は、専用の伝送チャンネルを介してのメッセージの送受信段階を含む。上記ステップＳ２１０を行った上記ＵＥ２０２は、ステップＳ２１２において、上記ノードＢ２００に所要のデータレートに関する情報、上りリンクチャンネルの状況を通知する情報を伝送する。上記上りリンクチャンネルの状況を通知する情報には、上記ＵＥ２０２が伝送する上りチャンネル送信電力と上記ＵＥ２０３の送信電力マージンなどがある。
【０００９】
上記上りチャンネル送信電力を受信した上記ノードＢ２００は、上記上りチャンネルの送信電力と受信電力を比較して下りチャンネルの状況を推定することができる。すなわち、上記上りチャンネル送信電力と上りチャンネル受信電力との差分が小さければ、上りチャンネルの状況は良好であると見なされ、上記送信電力と受信電力との差分が大きければ、上記上りチャンネルの状況は不良であると見なす。上りリンクチャンネルの状況を推定するために、上記ＵＥが送信電力マージンを伝送する場合には、上記送信電力マージンを既知のＵＥの最大の送信電力から差し引くことにより、上記ノードＢ２００は上記上りリンク送信電力を推定することができる。上記ノードＢ２００は、上記推定した上記ＵＥ２０２のチャンネル状況と上記ＵＥ２０２が必要とするデータレートに関する情報とを用いて、上記ＵＥ２０２の上りリンクパケットチャンネルのために最大のデータレートを決める。
【００１０】
上記決められた最大のデータレートは、ステップＳ２１４において、上記ＵＥ２０２に報知される。上記ＵＥ２０２は、報知された最大のデータレートの範囲内で伝送すべきパケットデータのデータレートを決め、ステップＳ２１６において、上記ノードＢ２００に上記決められたデータレートをもって上記パケットデータを伝送する。
【００１１】
ここで、上記ＥＵＤＣＨサービスを支援する上り物理チャンネルは、専用物理データチャンネル（Dedicated Physical Data Channel、以下、「ＤＰＤＣＨ」と称する。）と、専用物理制御チャンネル（Dedicated Physical Control Channel、以下、「ＤＰＣＣＨ」と称する。）と、ＨＳＤＰＡサービスのための高速専用物理制御チャンネル（High Speed Dedicated Physical Control Channel、以下、「ＨＳ−ＤＰＣＣＨ」と称する。）と、ＥＵＤＣＨサービスのための拡張専用物理データチャンネル（Enhanced Dedicated Physical Data Channel、以下、「Ｅ−ＤＰＤＣＨ」と称する。）と、ＥＵＤＣＨサービスのための拡張専用物理制御チャンネル（Enhanced Dedicated Physical Control Channel、以下、「Ｅ−ＤＰＣＣＨ」と称する。）と、を含む。
【００１２】
すなわち、上記ステップＳ２１６において、ＵＥ２０２は、上記Ｅ−ＤＰＤＣＨのフレームフォーマット及びチャンネルコーディング情報などを報知するために、制御チャンネルであるＥ−ＤＰＣＣＨを伝送し、上記Ｅ−ＤＰＤＣＨを介してパケットデータを伝送する。ここで、上記Ｅ−ＤＰＣＣＨは、上記ＵＥ２０２が必要とする上りリンクデータレート、及び送信電力マージンなどの伝送や、上記ノードＢ２００によるＥ−ＤＰＤＣＨの復調のためのパイロット情報の伝送にも使用可能である。
【００１３】
前述したように、ＥＵＤＣＨパケットデータの伝送のために、既存の物理チャンネルに加えて、別途の物理チャンネルをさらに伝送すると、すなわち、上りリンクから伝送される物理チャンネルの数が増えると、これに伴い、上りリンク送信信号のＰＡＰＲが増大するという問題が生じる。通常、上記ＰＡＰＲは、同時に伝送される物理チャンネルの数が増えるほど、大きくなる。
【００１４】
上記ＰＡＰＲの増加は、送信信号のひずみ及び許容された帯域外への隣接チャンネル漏洩電力比（ＡＣＬＲ：Adjacent Channel Leakage power Ratio）の増加をもたらすため、ＵＥの無線周波数（Radio Frequency、以下、「ＲＦ」と称する。）電力増幅器においては、上記の問題を防止するために、増幅器の入力電力を低減させるような電力バックオフを必要とする。このとき、上記ＵＥが電力バックオフを行うと、その結果、ノードＢの受信機には受信電力の減少が起こり、これは、受信データの誤り率の増加やセル適用範囲の減少につながる。
【００１５】
これにより、ＵＥは、上記ＰＡＰＲの増加を抑えるために、上記ＥＵＤＣＨを別途の物理チャンネルに載せて伝送することなく、ＤＰＤＣＨなどの既存の物理チャンネルに時分割して伝送することを試みていた。ところが、上記ＥＵＤＣＨを既存の物理チャンネルに時分割して伝送すると、実現上の複雑性が増すという欠点の原因となる。
【００１６】
以上の点を考慮に入れて、ＷＣＤＭＡシステムは、上りリンクにおいて、上記物理チャンネルを相互間の直交性を満足するＯＶＳＦコードに乗じて伝送する方法を提案している。上記ＯＶＳＦコードに乗じたそれぞれの物理チャンネルは、ノードＢにおいて区分可能である。
【００１７】
図３は、通常、ＷＣＤＭＡシステムに用いられるＯＶＳＦコードのツリー構造を示している。
【００１８】
図３を参照すると、上記ＯＶＳＦコードは、下記式（１）から下記式（３）までの演算過程により簡単に生成可能である。
【００１９】
【数１】
2007535233.tif 000003
【００２０】
【数２】
2007535233.tif 000004
【００２１】
【数３】
2007535233.tif 000005
【００２２】
図３に示すように、上記ＯＶＳＦコードは、同じ拡散率（Spreading Factor、以下、「ＳＦ」と称する。）を持つコード同士では、相互直交性が成り立つという特性を有する。そして、もし高いＳＦ値を持つコードが前式（３）を用いて低いＳＦ値を持つコードから生成できない場合、相異なるＳＦ値を持つ両コード間には直交性が成り立つ。これを例に取って説明すると、下記の通りである。
【００２３】
すなわち、ＳＦ＝４の場合、Ｃｃｈ、４、０＝（１、１、１、１）はＣｃｈ、２、１＝（１、−１）とは直交性が成り立つが、Ｃｃｈ、２、０＝（１、１）とは直交性が成り立たない。
【００２４】
また、他の例として、ＳＦ＝２５６のＯＶＳＦコードと上記Ｃｃｈ、２、０＝（１、１）とを比較すると、ＯＶＳＦコードのインデックスが０〜１２７であるコードは上記Ｃｃｈ、２、０＝（１、１）から生成されるため、相互直交性が成り立たない。すなわち、高いデータ伝送速度が必要になるほど、低いＳＦ値のＯＶＳＦコードが用いられ、多数の物理チャンネルを同時に伝送する場合、必ず互いに直交性が成り立つように上記ＯＶＳＦコードを割り当てなければならない。
【００２５】
一方、両物理チャンネルが同じＯＶＳＦコードを用いるとしても、それぞれ送信機のＩチャンネルとＱチャンネルに分割されて伝送されると、受信機において、両物理チャンネル信号を互いに干渉無しに分離して復調することができる。その理由は、ＩチャンネルとＱチャンネルを介して伝送される信号が互いに９０°の位相差を持つ搬送波に載せられて伝送されるためである。
【００２６】
前述したように、上りリンクＰＡＰＲの増加は、上りリンクにおいて同時に伝送される物理チャンネルの数と各物理チャンネルとの電力比や、各物理チャンネルに用いられるＯＶＳＦコードおよび各物理チャンネルのＩ／Ｑチャンネル割り当てによって異なる。
【００２７】
これと関連し、上記ＷＣＤＭＡシステムにＥＵＤＣＨ技術が適用される場合、上記上りリンクチャンネルに加えて、上記ＥＵＤＣＨパケットデータの伝送のためのＥ−ＤＰＣＣＨとＥ−ＤＰＤＣＨとが同時に伝送されると、上記ＰＡＰＲが増加するという問題点が発生する。
【発明の開示】
【発明が解決しようとする課題】
【００２８】
本発明は上記の事情に鑑みてなされたものであり、その目的は、移動通信システムにおいて、向上した上りリンクを介してパケットデータを効率よく伝送するユーザー端末の送信装置及び方法を提案するところにある。
【００２９】
本発明の他の目的は、上りリンクを支援する移動通信システムにおいて、上りリンク送信信号のＰＡＰＲの増加を抑えるために、直交可変拡散率コード及びＩ／Ｑチャンネルを割り当てる装置及び方法を提案するところにある。
【００３０】
本発明のさらに他の目的は、ＨＳ−ＤＰＣＣＨの有無及びＤＰＤＣＨのコード数に応じて、ＰＡＰＲの増加を極力抑えるように、Ｅ−ＤＰＤＣＨ及びＥ−ＤＰＣＣＨにＩ／Ｑチャンネル及びＯＶＳＦコードを割り当てる装置及び方法を提案するにところにある。
【課題を解決するための手段】
【００３１】
上記の目的を達成するために、本発明の実施の形態によれば、移動通信システムにおける向上したパケットサービスを支援する方法において、最大伝送可能な上り物理チャンネルの数を考慮して、直交（Ｑ）チャンネルに向上したパケットデータを伝送するためのデータチャンネルを割り当てるステップと、上記向上したパケットデータのデータレートを保証するために、同相（Ｉ）チャンネルに向上したパケットデータを伝送するためのデータチャンネルをさらに割り当てるステップと、を含むことを特徴とする上記方法が提供される。
【００３２】
上記の目的を達成するために、本発明の実施の形態によれば、移動通信システムにおけるパケットデータを伝送する方法において、直交可変拡散率（ＯＶＳＦ）コード（２５６、０）とＱチャンネルを用いて、専用物理制御チャンネル（ＤＰＣＣＨ）を生成するステップと、専用物理データチャンネル（ＤＰＤＣＨ）の拡散率がＳＦＤＰＤＣＨであるとしたとき、上記ＯＶＳＦコード（ＳＦＤＰＤＣＨ、ＳＦＤＰＤＣＨ／４）とＩチャンネルを用いてＤＰＤＣＨを生成するステップと、向上した上りリンクパケットデータの伝送を支援するための専用制御チャンネル（Ｅ−ＤＰＣＣＨ）に割り当てられるＯＶＳＦコードの拡散率がＳＦＥ−ＤＰＣＣＨであるとしたとき、ＯＶＳＦコード（ＳＦＥ−ＤＰＣＣＨ、１）とＩチャンネルを用いてＥ−ＤＰＣＣＨを生成するステップと、上記向上した上りリンクパケットデータの伝送を支援するための専用データチャンネル（Ｅ−ＤＰＤＣＨ）に割り当てられるＯＶＳＦコードの拡散率がＳＦＥ−ＤＰＤＣＨであるとしたとき、ＯＶＳＦコード（ＳＦＥ−ＤＰＤＣＨ、ＳＦＥ−ＤＰＤＣＨ／２）とＱチャンネルを用いてＥ−ＤＰＤＣＨを生成するステップと、を含むことを特徴とする上記方法が提供される。
【００３３】
上記の目的を達成するために、本発明の実施の形態によれば、向上した上りリンクパケットデータの伝送を支援する移動通信システムにおける上りリンクパケットデータを伝送する装置において、最大伝送可能な専用物理チャンネルの数を考慮して向上した上りデータチャンネルの数を決め、上記向上したデータの伝送速度に応じて、Ｑチャンネル及びＩチャンネル上の上記少なくとも１つ以上の向上した上りデータチャンネルに直交可変拡散率（ＯＶＳＦ）コード（ＳＦ、ＳＦ／２）を交互に割り当てる伝送制御部と、上記伝送制御部において決められた上記向上した上りデータチャンネルの数に応じて、ＱチャンネルとＩチャンネルにおいて向上した上りデータチャンネルを交互に生成し、上記ＯＶＳＦコードに応じて、上記パケットデータを拡散して伝送する伝送部と、を備えることを特徴とする上記伝送装置が提供される。
【００３４】
上記の目的を達成するために、本発明の実施の形態によれば、上りリンクパケットデータの伝送を支援する移動通信システムにおけるデータを伝送する方法において、上記上りリンクパケットデータの伝送のために伝送率を考慮して直交コードを割り当て、上記直交コードを用いて上記パケットデータを拡散するステップと、上記拡散されたパケットデータ信号を他の直交コードを用いて拡散された信号に加算するステップと、上記加算された拡散信号をアンテナを介して伝送するステップと、を含み、ここで、ＳＦＥ−ＤＰＤＣＨが拡散率であるとしたとき、専用物理チャンネル（ＤＰＤＣＨ）と高速な順方向パケットのための専用物理チャンネル（ＨＳ−ＤＰＣＣＨ）が設定されていない場合、上記上りリンクパケットデータの伝送のために、Ｉチャンネルにおいて直交コード（ＳＦＥ−ＤＰＤＣＨ、ＳＦＥ−ＤＰＤＣＨ／４）が割り当てられることを特徴とする上記方法が提供される。
【００３５】
上記の目的を達成するために、本発明の実施の形態によれば、上りリンクパケットデータの伝送を支援する移動通信システムにおけるデータを伝送する方法において、上記上りリンクパケットデータの伝送のために伝送率を考慮して直交コードを割り当て、上記直交コードを用いて上記パケットデータを拡散するステップと、上記拡散されたパケットデータ信号を他の直交コードを用いて拡散された信号に加算するステップと、上記加算された拡散信号をアンテナを介して伝送するステップと、を含み、ここで、ＳＦＥ−ＤＰＤＣＨが拡散率であるとしたとき、高速な順方向パケットのための専用物理チャンネル（ＨＳ−ＤＰＣＣＨ）が設定されていない場合、上記上りリンクパケットデータの伝送のために、Ｑチャンネルにおいて直交コード（ＳＦＥ−ＤＰＤＣＨ、ＳＦＥ−ＤＰＤＣＨ／４）が割り当てられることを特徴とする上記方法が提供される。
【００３６】
上記の目的を達成するために、本発明の実施の形態によれば、上りリンクパケットデータの伝送を支援する移動通信システムにおけるデータを伝送する方法において、上記上りリンクパケットデータの伝送のために伝送率を考慮して直交コードを割り当て、上記直交コードを用いて上記パケットデータを拡散するステップと、上記拡散されたパケットデータ信号を他の直交コードを用いて拡散された信号に加算するステップと、上記加算された拡散信号をアンテナを介して伝送するステップと、を含み、ここで、ＳＦＥ−ＤＰＤＣＨが拡散率であるとしたとき、高速な順方向パケットのための専用物理チャンネル（ＨＳ−ＤＰＣＣＨ）が設定されている場合、Ｑチャンネルにおいて直交コード（ＳＦＥ−ＤＰＣＣＨ、１）ないし直交コード（ＳＦＥ−ＤＰＣＣＨ、ＳＦＥ−ＤＰＣＣＨ／８）のうちいずれか１つを選択して上記上りリンクパケットデータの伝送のための制御チャンネルに割り当てることを特徴とする上記方法が提供される。
【００３７】
上記の目的を達成するために、本発明の実施の形態によれば、上りリンクパケットデータの伝送を支援する移動通信システムにおけるデータを伝送する方法において、上記上りリンクパケットデータの伝送のために伝送率を考慮して直交コードを割り当て、上記直交コードを用いて上記パケットデータを拡散するステップと、上記拡散されたパケットデータ信号を他の直交コードを用いて拡散された信号に加算するステップと、上記加算された拡散信号をアンテナを介して伝送するステップと、を含み、ここで、ＳＦＥ−ＤＰＤＣＨが拡散率であるとしたとき、専用物理チャンネル（ＤＰＤＣＨ）が存在しなければ、高速な順方向パケットのための専用物理チャンネル（ＨＳ−ＤＰＣＣＨ）によらずに、Ｑチャンネルにおいて直交コード（ＳＦＥ−ＤＰＣＣＨ、１）ないし直交コード（ＳＦＥ−ＤＰＣＣＨ、ＳＦＥ−ＤＰＣＣＨ／８）のうちいずれか１つを選択して上記上りリンクパケットデータの伝送のための制御チャンネルに割り当てることを特徴とする上記方法が提供される。
【００３８】
上記の目的を達成するために、本発明の実施の形態によれば、移動通信システムにおけるパケットデータを伝送する方法において、直交可変拡散率（ＯＶＳＦ）コード（２５６、０）とＱチャンネルを用いて専用物理制御チャンネル（ＤＰＣＣＨ）を生成するステップと、専用物理データチャンネル（ＤＰＤＣＨ）の拡散率がＳＦＤＰＤＣＨであるとしたとき、上記ＯＶＳＦコード（ＳＦＤＰＤＣＨ、ＳＦＤＰＤＣＨ／４）とＩチャンネルを用いてＤＰＤＣＨを生成するステップと、向上した上りリンクパケットデータの伝送を支援するための専用制御チャンネル（Ｅ−ＤＰＣＣＨ）に割り当てられるＯＶＳＦコードの拡散率がＳＦＥ−ＤＰＣＣＨであるとしたとき、ＯＶＳＦコード（ＳＦＥ−ＤＰＣＣＨ、１）とＩチャンネルを用いてＥ−ＤＰＣＣＨを生成するステップと、上記向上した上りリンクパケットデータの伝送を支援するための専用データチャンネル（Ｅ−ＤＰＤＣＨ）に割り当てられるＯＶＳＦコードの拡散率がＳＦＥ−ＤＰＤＣＨであるとしたとき、Ｅ−ＤＰＤＣＨにＯＶＳＦコード（ＳＦＥ−ＤＰＤＣＨ、ＳＦＥ−ＤＰＤＣＨ／２）を割り当てるステップと、を含み、ここで、ＨＳ−ＤＰＣＣＨが形成されている場合、Ｉチャンネルを用いてＥ−ＤＰＣＣＨを生成し、ＨＳ−ＤＰＣＣＨが形成されていない場合、Ｑチャンネルを用いてＥ−ＤＰＣＣＨを生成することを特徴とする上記方法が提供される。
【発明の効果】
【００３９】
本発明は、上りリンク物理チャンネルにＯＶＳＦコードとＩ／Ｑチャンネルを割り当てる方法において、上りリンク物理チャンネルであるＤＰＤＣＨとＤＰＣＣＨに対する逆方向の互換性を維持しながら、ＥＵＤＣＨサービスのためのＥ−ＤＰＤＣＨとＥ−ＤＰＣＣＨに、最適化されたＯＶＳＦコードとＩ／Ｑチャンネルを割り当てる方法を提案する。また、ＥＵＤＣＨの最大データレートを高めるために、既存のＲｅｌ−５標準規格とは異なるＨＳ−ＤＰＣＣＨ、及びＯＶＳＦコードを提案し、上記の場合について、上記ＥＵＤＣＨサービスのためのＥ−ＤＰＤＣＨとＥ−ＤＰＣＣＨに、最適化されたＯＶＳＦコードとＩ／Ｑチャンネルを割り当てる方法を提案する。
【００４０】
これにより、上記ＥＵＤＣＨサービスの提供によるパケットデータの伝送時に、ＰＡＰＲの増加を極力抑えることができ、ＥＵＤＣＨパケットデータの伝送誤りを極力抑えることができる。これにより、ＥＵＤＣＨサービス容量を増大することが可能になる。
【発明を実施するための最良の形態】
【００４１】
以下、添付した図面に基づき、本発明に係る好適な実施の形態を詳細に説明する。本発明を説明するに当たって、関連する公知の機能あるいは構成についての詳細な説明が本発明の要旨を余計に曖昧にすると認められる場合、その詳細な説明を省く。
【００４２】
本発明においては、ＷＣＤＭＡシステムにおいてＥＵＤＣＨデータサービスを支援するに当たり、上りリンク送信信号のＰＡＰＲの増加を極力抑えるためのＯＶＳＦコード及びＩ／Ｑチャンネルの割り当て方法を提案する。すなわち、本発明は、ＥＵＤＣＨパケットデータの伝送のための制御チャンネルであるＥ−ＤＰＣＣＨとデータチャンネルであるＥ−ＤＰＤＣＨを既存の物理チャンネルに加えて伝送する場合の最適化されたＯＶＳＦコード及びＩ／Ｑチャンネルの割り当て方法を提案する。このとき、ＥＵＤＣＨデータレートの向上及びＰＡＰＲの増加を極力抑えるために既存のＤＰＣＣＨ、ＤＰＤＣＨ及びＨＳ−ＤＰＣＣＨと直交性を維持しながら、上記ＰＡＰＲの増加を極力抑えるＯＶＳＦコード及びＩ／Ｑチャンネルの割り当て方法を提案する。
【００４３】
既存のＲｅｌ−５規格のＷＣＤＭＡ標準規格におけるＨＳ−ＤＰＣＣＨのＯＶＳＦコード及びＩ／Ｑチャンネルの割り当ては、ＵＥとノードＢとの間に無線リンクを設定するときに定められた最大伝送可能なＤＰＤＣＨの数を考慮して、ＰＡＰＲを低減するように決められる。
【００４４】
このため、本発明において提案するＥ−ＤＰＤＣＨ及びＥ−ＤＰＣＣＨのＯＶＳＦコード及びＩ／Ｑチャンネルの割り当ては、上記Ｒｅｌ−５の物理チャンネルに関して、上記無線リンクにおける最大伝送可能なＤＰＤＣＨの数とＨＳ−ＤＰＣＣＨの伝送有無を考慮して決められる。ここで、上記ＥＵＤＣＨサービスにおいて、Ｅ−ＤＰＤＣＨ物理チャンネルは、高いデータレートの伝送を支援することから、多数のチャンネルが同時に伝送可能である。これに対し、制御物理チャンネルとしてのＥ−ＤＰＣＣＨについては、一般的に、１本のチャンネルだけで十分に伝送可能である。
【００４５】
すなわち、本発明は、上りリンク送信信号のＰＡＰＲの増加を抑えるために、既存のＷＣＤＭＡシステムとの互換性を考慮してＥＵＤＣＨを支援する。その理由は、ＤＰＤＣＨとＤＰＣＣＨの標準規格に対する互換性が維持できないため、もし、基地局同士のバージョンが一致しない場合、初期の呼設定やハンドオーバーなど、種々の場合において深刻な問題が発生する恐れがあるためである。
【００４６】
換言すると、上りリンク物理チャンネルのうち核心となるＤＰＤＣＨとＤＰＣＣＨについては、既存のＲｅｌ−５のＷＣＤＭＡの標準規格に準拠し、且つ、ＥＵＤＣＨ関係の物理チャンネルについては、ＰＡＰＲの増加を極力抑えるように最適化されたＯＶＳＦコード及びＩ／Ｑチャンネルの割り当て方法を提示する。
【００４７】
先ず第一に、既存のＲｅｌ−５のＷＣＤＭＡシステムとの完璧な互換性を維持することによって、ＯＶＳＦコード及びＩ／Ｑチャンネルを割り当てる方法においては、ＤＰＣＣＨ、ＤＰＤＣＨ、ＨＳ−ＤＰＣＣＨなどの既存の上りリンクチャンネルは、現在の規格に明示されるようなＯＶＳＦコード及びＩ／Ｑチャンネルの割り当てが行われることを想定し、本発明は、上記の状況下で、ＥＵＤＣＨパケットデータの伝送のための物理チャンネルであるＥ−ＤＰＣＣＨとＥ−ＤＰＤＣＨとがさらに伝送される場合における、最適化されたＯＶＳＦコード及びＩ／Ｑチャンネルの割り当て方法を提案する。
【００４８】
第二に、既存のＤＰＤＣＨとＤＰＣＣＨに対する互換性は維持しながら、ＨＳ−ＤＰＣＣＨに対する互換性には一部違背する場合を考慮する。現在のＲｅｌ−５のＷＣＤＭＡの標準規格において、最大伝送可能なＤＰＤＣＨの数が１本である場合、ＨＳ−ＤＰＣＣＨは、Ｑチャンネル上で、ＯＶＳＦコード（２５６、６４）を用いて伝送される。この場合には、Ｅ−ＤＰＤＣＨは、ＱチャンネルにおいてＯＶＳＦコード（４、１）を用いることができないため、ＥＵＤＣＨの最大データレートがその分制限されるという問題が発生する。このため、上記の問題を解消するために、Ｅ−ＤＰＤＣＨがＱチャンネルにおいてＯＶＳＦコード（４、１）を使用可能な、且つ、ＵＥからの送信信号のＰＡＰＲも低減可能な、ＨＳ−ＤＰＣＣＨ及びＥ−ＤＰＣＣＨ、Ｅ−ＤＰＤＣＨのコードの割り当て規則を提案する。
【００４９】
第三に、Ｒｅｌ−６標準においては、上りリンクにおいて、ＤＰＤＣＨは全く伝送されずＥ−ＤＰＤＣＨのみが伝送されるＥＵＤＣＨ独立伝送の場合も想定されている。このため、本発明においては、上記ＥＵＤＣＨ独立伝送時におけるＨＳ−ＤＰＣＣＨのＯＶＳＦコード及びＩ／Ｑチャンネルの割り当て規則を提示する。
【００５０】
上記方法において、ＨＳ−ＤＰＣＣＨにおけるＩ／Ｑチャンネル及びＯＶＳＦコードの割り当ては、最大伝送可能なＤＰＤＣＨの数によって決められ、上記Ｅ−ＤＰＤＣＨの数は、上記ＨＳ−ＤＰＣＣＨの割り当て規則には影響しない。これは、上記Ｅ−ＤＰＤＣＨが、常に伝送されるものではなく、ＵＥのＥＵＤＣＨデータバッファにデータが存在する場合に限って伝送されるものだからである。このため、ＨＳ−ＤＰＣＣＨのＯＶＳＦコード及びＩ／Ｑチャンネルの割り当て規則を、現在の標準に従いＤＰＤＣＨのみを考慮して定める方が、ＰＡＰＲの側面からは妥当であると言える。
【００５１】
図４は、本発明によるユーザー端末の送信機の構造を示す図である。
【００５２】
１．ＤＰＣＣＨ
既存のＲｅｌ−９９及びＲｅｌ−５標準規格におけるチャンネルの割り当て規則に準拠して、ＤＰＣＣＨは、ＱチャンネルにおいてＯＶＳＦコード（２５６、０）が割り当てられる。ここで、上記（２５６、０）は、図３におけるＯＶＳＦコードｃｃｈ、２５６、０と同様である。すなわち、図４において、上記ＤＰＣＣＨは、ＢＰＳＫ変調され、ＯＶＳＦコードｃｃｈ、２５６、０と乗算されて帯域拡散された後、送信利得βＣと乗算される。このβＣは、ＵＥにより伝送されるデータの速度やサービス品質の要求レベルなどに応じて、ネットワークによって設定される値である。
【００５３】
上記ＤＰＣＣＨ信号は、Ｑチャンネルを介して伝送される他のチャンネル信号に加算された後、スクランブルコードＳｄｐｃｈ、ｎと乗算され、その後、送信パルス形成フィルターとＲＦ段を経てアンテナを介して送信される。
【００５４】
２．ＤＰＤＣＨ
既存の標準規格に明示されるチャンネルの割り当て規則によれば、ＤＰＤＣＨのＳＦ値がＳＦＤＰＤＣＨであるとしたとき、ＤＰＤＣＨは、ＩチャンネルにおいてＯＶＳＦコード（ＳＦＤＰＤＣＨ、ＳＦＤＰＤＣＨ／４）によって拡散される。図４において、ｃｄは、ＤＰＤＣＨのＯＶＳＦコードを示す。また、本発明においては、上記ＥＵＤＣＨサービスに関する物理チャンネルがＤＰＤＣＨと同時に伝送される場合、最大１本のＤＰＤＣＨのみが伝送されると仮定する。
【００５５】
３．ＨＳ−ＤＰＣＣＨ
同様に、これは、既存のＲｅｌ−５標準規格に従うと共に、下りリンクにおいてＨＳＤＰＡサービスがなされている場合に限って伝送が行われる。図４から明らかなように、上りリンクにおいて１本のＤＰＤＣＨのみが伝送される場合、ＨＳ−ＤＰＣＣＨは、ＱチャンネルにおいてＯＶＳＦコード（２５６、６４）によって拡散される。
【００５６】
４．Ｅ−ＤＰＣＣＨ
Ｅ−ＤＰＣＣＨは、ＥＵＤＣＨサービスのための物理制御チャンネルであって、ＵＥのバッファ状態を伝送したり、ノードＢが上りリンクチャンネルの状況を推定するために必要とされる情報である、上りリンク送信電力、上りリンク送信電力マージン、チャンネル状態情報（Channel State Information：以下、「ＣＳＩ」と称する。）などを伝送する。上記Ｅ−ＤＰＣＣＨは、上記Ｅ−ＤＰＤＣＨ上で伝送されるＥＵＤＣＨサービスのためのパケットデータ伝送フォーマット識別子（Transport Format and Resource Indicator：Ｅ−ＴＦＲＩ）を伝送する。
【００５７】
このとき、Ｅ−ＤＰＣＣＨのＳＦ値がＳＦＥ−ＤＰＣＣＨであるとしたとき、上記Ｅ−ＤＰＣＣＨは、ＩチャンネルにおいてＯＶＳＦコード（ＳＦＥ−ＤＰＣＣＨ、１）によって拡散される。ここで、上記Ｅ−ＤＰＣＣＨにＯＶＳＦコード及びＩ／Ｑチャンネルを割り当てる上で高い自由度が存在する。
【００５８】
または、Ｅ−ＤＰＣＣＨは、ＩチャンネルにおいてＯＶＳＦコード（２５６、１）を用いて伝送されるＤＰＣＣＨに応じて、上記のようにＱチャンネルにおいてＯＶＳＦコード（ＳＦＥ−ＤＰＣＣＨ、１）を用いるようにする。
【００５９】
あるいは、ＤＰＤＣＨが設定されずに、ＨＳ−ＤＰＣＣＨが設定されている場合には、Ｅ−ＤＰＣＣＨをＱチャンネルに割り当てる。このとき、上記Ｅ−ＤＰＣＣＨには、ＯＶＳＦコード（ＳＦＥ−ＤＰＣＣＨ、１）若しくはＯＶＳＦコード（ＳＦＥ−ＤＰＣＣＨ、ＳＦＥ−ＤＰＣＣＨ／８）が適している。
【００６０】
または、ＤＰＤＣＨが設定されていない場合に、ＨＳ−ＤＰＣＣＨの設定有無によらずに、Ｅ−ＤＰＣＣＨをＱチャンネルに割り当て可能である。このとき、上記Ｅ−ＤＰＣＣＨには、ＯＶＳＦコード（ＳＦＥ−ＤＰＣＣＨ、１）若しくは（ＳＦＥ−ＤＰＣＣＨ、ＳＦＥ−ＤＰＣＣＨ／８）が適している。
【００６１】
このような規則は、上記ＨＳ−ＤＰＣＣＨの伝送有無やＥ−ＤＰＤＣＨのチャンネルの数によらずに常時適用される。このとき、上記ＳＦＥ−ＤＰＣＣＨの値としては、８、１６、３２、６４、１２８、１２８、２５６が適用可能であり、実際に用いられるＳＦＥ−ＤＰＣＣＨ値は、Ｅ−ＤＰＣＣＨを介して伝送される情報の量を考慮して決められる。
【００６２】
さらに、ＤＰＤＣＨが設定されずに、ＨＳ−ＤＰＣＣＨがＩチャンネル（２５６、１）に設定される場合には、たとえ、もしＳＦＥ−ＤＰＣＣＨ＝２５６であっても、Ｅ−ＤＰＣＣＨは（ＳＦＥ−ＤＰＣＣＨ、１）に割り当てられることができない。このため、Ｅ−ＤＰＣＣＨは、Ｉチャンネル（ＳＦＥ−ＤＰＣＣＨ、２）ないしＩチャンネル（ＳＦＥ−ＤＰＣＣＨ、ＳＦＥ−ＤＰＣＣＨ／８）に割り当てられることが可能である。すなわち、上記Ｅ−ＤＰＣＣＨをＩチャンネル（ＳＦＥ−ＤＰＣＣＨ、２）ないしＩチャンネル（ＳＦＥ−ＤＰＣＣＨ、ＳＦＥ−ＤＰＣＣＨ／８）に割り当てることは、ＰＡＰＲの低値化を達成する上で最も有効である。ここで、ＳＦＥ−ＤＰＣＣＨの値としては、３２、６４、１２８、１２８、２５６が適用可能である。
【００６３】
上記Ｅ−ＤＰＣＣＨと関連して、図４を参照すると、ＥＵＤＣＨ伝送制御部４０２は、ノードＢにＥ−ＤＰＤＣＨを受信させる上で必要となる制御情報を、上記Ｅ−ＤＰＣＣＨを介して伝送する。図４において、ｃｃｈ、ＳＦ、１は上記Ｅ−ＤＰＣＣＨのＯＶＳＦコードを示し、送信シンボルと乗算されて他の物理チャンネルとの直交性を満足する。さらに、上記Ｅ−ＤＰＣＣＨの送信利得βＥ−ＤＰＣＣＨは、他の物理チャンネルと同様に、ＵＥから伝送されるデータの速度やサービス品質の要求レベルなどによって設定される値である。
【００６４】
５．Ｅ−ＤＰＤＣＨ
Ｅ−ＤＰＤＣＨは、上記ＥＵＤＣＨサービスのための専用物理データチャンネルであって、上記ノードＢからのスケジューリング情報に基づいて決められたデータレートを用いて、ＥＵＤＣＨパケットデータを伝送する。上記Ｅ−ＤＰＤＣＨは、同時に伝送する拡散コードの数を維持しながら、データレートを高めるために、ＢＰＳＫのみならず、ＱＰＳＫ、８ＰＳＫなども支援する。
【００６５】
図４に戻り、Ｅ−ＤＰＤＣＨは、Ｅ−ＤＰＤＣＨ１とＥ−ＤＰＤＣＨ２の２チャンネルが同時に伝送されることを例示している。このとき、ＥＵＤＣＨパケットデータの伝送速度によって、上記Ｅ−ＤＰＤＣＨ物理チャンネルの使用数が異なるのは言うまでもない。さらに、上記ＥＵＤＣＨ伝送制御部４０２は、同時に伝送されるＥ−ＤＰＤＣＨの数とＳＦ値を決める。
【００６６】
換言すると、データ伝送速度が遅い場合には、Ｅ−ＤＰＤＣＨは、１本のＥ−ＤＰＤＣＨにより伝送可能であるように、比較的に大きなＳＦ値を持つＯＶＳＦコードにより拡散される。これに対し、データ伝送速度が高い場合には、ＥＵＤＣＨパケットデータが１本または２本のＥ−ＤＰＤＣＨを介して伝送されるように、ＳＦＥ−ＤＰＣＣＨ値を４、または２に設定する。
【００６７】
すなわち、上記ＥＵＤＣＨパケット伝送部４０４は、上記ＥＵＤＣＨ伝送制御部４０２の制御下で、Ｅ−ＤＰＤＣＨ１を介して、ＥＵＤＣＨ送信データを伝送する。または、必要に応じて、更にＥ−ＤＰＤＣＨ２が伝送するために割り当てられる。ＥＵＤＣＨデータバッファ４００は、伝送したいＥＵＤＣＨデータを保存しているバッファである。このとき、上記Ｅ−ＤＰＤＣＨを介して伝送されるべきＥＵＤＣＨデータは、上記ＥＵＤＣＨ伝送制御部４０２の制御下で、ＥＵＤＣＨパケット伝送部４０４に受け渡される。
【００６８】
下記のいくつかの実施の形態は、上記Ｅ−ＤＰＤＣＨと関連して、ＯＶＳＦコード及びＩ／Ｑチャンネルを割り当てる方法である。
【００６９】
「第１の実施の形態」
下記の第１の実施の形態においては、ＤＰＤＣＨを考慮することなく、上記Ｅ−ＤＰＤＣＨのためのＯＶＳＦコード及びＩ／Ｑチャンネルを割り当てる方法を提案する。この方法においては、ＥＵＤＣＨデータレートによってＥ−ＤＰＤＣＨの最小拡散利得値と伝送チャンネル数を適宜に調整することにより、ＰＡＰＲを低減可能にする。ここで、本発明の説明を理解し易くするために、データレートと関連して設定されるＳＦＥ−ＤＰＤＣＨを考慮して、方法Ａ、方法Ｂ、方法Ｃに区別して説明する。
【００７０】
方法Ａは、Ｅ−ＤＰＤＣＨのＳＦＥ−ＤＰＤＣＨが４以上に設定される場合である。
【００７１】
１．１本のＥ−ＤＰＤＣＨが伝送される場合
Ｅ−ＤＰＤＣＨ１は、Ｑチャンネルを介してＯＶＳＦコード（ＳＦＥ−ＤＰＤＣＨ、ＳＦＥ−ＤＰＤＣＨ／２）を用いてＥＵＤＣＨ送信シンボルを伝送する。このとき、ＳＦＥ−ＤＰＤＣＨとしては、４、８、１６、３２、６４、１２８、２５６が使用可能である。図４において、ｃｅｄ１が上記Ｅ−ＤＰＤＣＨ１に用いられるＯＶＳＦコードである。上記のように、ＯＶＳＦコードを割り当てられたＥ−ＤＰＤＣＨ１は、他の物理チャンネルとの直交性を満足する。すなわち、Ｉチャンネルにおいて伝送されるＤＰＤＣＨに対応して、Ｅ−ＤＰＤＣＨ１をＱチャンネルにおいて伝送することにより、ＰＡＰＲを低減することが可能である。
【００７２】
２．２本のＥ−ＤＰＤＣＨが伝送される場合
Ｅ−ＤＰＤＣＨ１とＥ−ＤＰＤＣＨ２のＳＦＥ−ＤＰＤＣＨが４である場合、Ｅ−ＤＰＤＣＨ１とＥ−ＤＰＤＣＨ２は、それぞれＱチャンネルとＩチャンネルを介して、ＯＶＳＦコード（４、２）により拡散されて同時に伝送される。すなわち、Ｅ−ＤＰＤＣＨ１はＱチャンネルに、Ｅ−ＤＰＤＣＨ２はＩチャンネルにそれぞれ割り当てられる。このとき、ＥＵＤＣＨパケットデータは、ＱＰＳＫ、８ＰＳＫ、１６ＱＡＭなどの４次以上の変調方式により伝送される。
【００７３】
例えば、ＱＰＳＫ変調が適用された場合には、Ｅ−ＤＰＤＣＨ１とＥ−ＤＰＤＣＨ２を介して伝送されるシンボルは（±1、±1）の４通りの組み合わせにより伝送され、８ＰＳＫが適用される場合には、
【００７４】
【数４】
2007535233.tif 000006
【００７５】
及び (±1、±1)の８通りの組み合わせにより伝送される。
【００７６】
ここで、上記のようにＳＦＥ−ＤＰＤＣＨを４に設定してＥ−ＤＰＤＣＨ１とＥ−ＤＰＤＣＨ２の２チャンネルを同時に伝送しても、所望のＥＵＤＣＨデータレートが得られない場合には、ＳＦＥ−ＤＰＤＣＨを２に設定することにより、一層高いデータレートでの伝送が可能になる。すなわち、Ｅ−ＤＰＤＣＨ１とＥ−ＤＰＤＣＨ２のＳＦＥ−ＤＰＤＣＨが２である場合、Ｅ−ＤＰＤＣＨ１はＱチャンネルにおいて、Ｅ−ＤＰＤＣＨ２はＩチャンネルにおいて、それぞれＯＶＳＦコード（２、１）により拡散されて同時に伝送される。
【００７７】
このように多数のＥ−ＤＰＤＣＨ物理チャンネルを伝送することが必要となる場合、Ｅ−ＤＰＤＣＨの最小拡散利得を２に設定することにより。最小拡散利得が４である場合に比べて、伝送されるＥ−ＤＰＤＣＨ数を半分に低減し、その結果、ＰＡＰＲを大幅に低減することが可能である。
【００７８】
方法Ｂは、上述の方法Ａとほとんど同様であるが、Ｅ−ＤＰＤＣＨ１のみが伝送される場合に、ＳＦＥ−ＤＰＤＣＨを少なくとも２まで使用可能にしてＯＶＳＦコードを割り当てる。
【００７９】
１．１本のＥ−ＤＰＤＣＨが伝送される場合
Ｅ−ＤＰＤＣＨ１のみが伝送される場合に、ＳＦＥ−ＤＰＤＣＨは、２、４、８、１６、３２、６４、１２８、２５６である。このとき、Ｅ−ＤＰＤＣＨ１は、ＯＶＳＦコード（ＳＦＥ−ＤＰＤＣＨ、ＳＦＥ−ＤＰＤＣＨ／２）を用いて、Ｑチャンネルに割り当てられる。
【００８０】
２．２本のＥ−ＤＰＤＣＨが伝送される場合
Ｅ−ＤＰＤＣＨ１がＱチャンネルにおいて、Ｅ−ＤＰＤＣＨ２がＩチャンネルにおいてそれぞれＯＶＳＦコード（２、１）により拡散されて同時に伝送される。この場合、ＥＵＤＣＨパケットデータは、ＱＰＳＫ、８ＰＳＫ、１６ＱＡＭなどの４次以上の変調方式により伝送可能である。
【００８１】
方法Ｃは、上述の方法Ａとほとんど同様であるが、しかし、上記ＳＦＥ−ＤＰＤＣＨを４にしてＥ−ＤＰＤＣＨ１とＥ−ＤＰＤＣＨ２の２チャンネルを同時に伝送しても、所望のＥＵＤＣＨデータレートが得られない場合、上記Ｅ−ＤＰＤＣＨ１のＳＦＥ−ＤＰＤＣＨを２に設定し、Ｅ−ＤＰＤＣＨ２のＳＦＥ−ＤＰＤＣＨを４に設定して、ＯＶＳＦコードを割り当てる。
【００８２】
１．１本のＥ−ＤＰＤＣＨが伝送される場合
Ｅ−ＤＰＤＣＨのＳＦＥ−ＤＰＤＣＨが４以上である場合、ＯＶＳＦコード（ＳＦＥ−ＤＰＤＣＨ、ＳＦＥ−ＤＰＤＣＨ／２）を用いて、Ｑチャンネルを介してＥＵＤＣＨ送信シンボルを伝送する。このとき、使用可能なＳＦＥ−ＤＰＤＣＨは、４、８、１６、３２、６４、１２８、２５６である。
【００８３】
２．２本のＥ−ＤＰＤＣＨが伝送される場合
Ｅ−ＤＰＤＨ１とＥ−ＤＰＤＣＨ２のＳＦＥ−ＤＰＤＣＨが４である場合、Ｅ−ＤＰＤＣＨ１とＥ−ＤＰＤＣＨ２は、それぞれＱチャンネルとＩチャンネルを介してＯＶＳＦコード（４、２）により拡散されて同時に伝送される。このとき、Ｅ−ＤＰＤＣＨ１とＥ−ＤＰＤＣＨ２の２チャンネルを同時に伝送しても、所望のＥＵＤＣＨデータレートが得られない場合、上記Ｅ−ＤＰＤＣＨ１とＥ−ＤＰＤＣＨ２のＳＦＥ−ＤＰＤＣＨは、相異なる値に設定される。
【００８４】
すなわち、Ｅ−ＤＰＤＣＨ１のＳＦＥ−ＤＰＤＣＨを２に設定し、Ｅ−ＤＰＤＣＨ２のＳＦＥ−ＤＰＤＣＨを４に設定することにより、各チャンネルで伝送されるデータは、それぞれ別々にＢＰＳＫ変調が適用されて伝送される。このため、Ｅ−ＤＰＤＣＨ１とＥ−ＤＰＤＣＨ２を介して伝送されるシンボルは、それぞれＱチャンネル及びＩチャンネルにおいて、ＯＶＳＦコード（２、１）及びＯＶＳＦコード（４、２）により拡散されて伝送される。
【００８５】
さらに、上記のような設定によってもデータレートが得られない場合、上記Ｅ−ＤＰＤＣＨ１のＳＦＥ−ＤＰＤＣＨを２に設定し、Ｅ−ＤＰＤＣＨ２のＳＦＥ−ＤＰＤＣＨを２に設定して伝送する。すなわち、上記Ｅ−ＤＰＤＣＨ２とＥ−ＤＰＤＣＨ１が、それぞれＩチャンネル及びＱチャンネルにおいて、ＯＶＳＦコード（２、１）により拡散されて同時に伝送される。この場合、上記ＥＵＤＣＨパケットデータは、ＱＰＳＫ、８ＰＳＫ、１６ＱＡＭなどの４次以上の変調方式により伝送可能である。
【００８６】
方法Ｄは、ＤＰＤＣＨ及びＨＳ−ＤＰＣＣＨが伝送されないか、あるいは、ＨＳ−ＤＰＣＣＨは伝送されるとしても、ＯＶＳＦコード（４、０）から生成されるＯＶＳＦコードが用いられる場合には、ＥＵＤＣＨパケットデータレートを高めるために、ＯＶＳＦコード（４、１）を追加のＥ−ＤＰＤＣＨに割り当てる方法である。これは、ＨＳＤＰＡサービスがなされている場合に限って、上記ＨＳ−ＤＰＣＣＨが伝送されるためである。さらに、ＤＰＤＣＨの場合には、ＤＰＤＣＨを介して伝送すべきデータがない場合には、シグナリング情報の伝送時に稀に用いられ、それ以外の時には伝送されない可能性があるためである。そして、Ｒｅｌ−５のＷＣＤＭＡ標準規格の次の規格においては、ＤＰＤＣＨは設定されず、Ｅ−ＤＰＤＣＨのみが設定される場合も存在しうる。
【００８７】
１．２本以下のＥ−ＤＰＤＣＨが伝送される場合
上述した方法Ａ、方法Ｂ、または方法Ｃが適用可能である。
【００８８】
２．３本のＥ−ＤＰＤＣＨが伝送される場合
ＨＳ−ＤＰＣＣＨが伝送されない場合には、ＱチャンネルにおいてＯＶＳＦコード（４、１）を用いてＥ−ＤＰＤＣＨ３チャンネルを伝送する。
【００８９】
または、上記ＨＳ−ＤＰＣＣＨが伝送され、且つ、ＤＰＤＣＨが伝送されない場合には、ＩチャンネルにおいてＯＶＳＦコード（４、１）を用いてＥ−ＤＰＤＣＨ３チャンネルを伝送する。
【００９０】
３．４本以上のＥ−ＤＰＤＣＨが伝送される場合
Ｉチャンネル及びＱチャンネルの両方においてＯＶＳＦコード（４、１）を用いて伝送する。これは、ＤＰＤＣＨとＨＳ−ＤＰＣＣＨによって上記ＯＶＳＦコード（４、１）が用いられない場合に適用される。
【００９１】
換言すると、ＨＳ−ＤＰＣＣＨとＤＰＤＣＨの両方が伝送されない場合には、Ｉチャンネル及びＱチャンネルにおいてそれぞれＯＶＳＦコード（４、１）を用いて３番目のＥ−ＤＰＤＣＨ及び４番目のＥ−ＤＰＤＣＨを伝送する。そして、ＤＰＤＣＨが設定されず、且つ、ＨＳ−ＤＰＣＣＨがＯＶＳＦコード（４、０）から生成されるＯＶＳＦコードを用いて伝送される場合であっても、Ｉチャンネル及びＱチャンネルにおいてＯＶＳＦコード（４、１）がまったく用いられないため、ＯＶＳＦコード（４、１）を用いてＩ／Ｑチャンネルにおいて３番目のＥ−ＤＰＤＣＨ及び４番目のＥ−ＤＰＤＣＨを伝送することができる。
【００９２】
「第２の実施の形態」
下記の第２の実施の形態においては、ＨＳ−ＤＰＣＣＨの設定有無を考慮して、上記Ｅ−ＤＰＤＣＨのためのＯＶＳＦコード及びＩ／Ｑチャンネルの割り当て規則を別々に適用する方法を提案する。
【００９３】
上記の第２実施の形態により、上記ＨＳ−ＤＰＣＣＨがＱチャンネルにおいてＯＶＳＦコード（２５６、６４）に設定されている場合には、Ｅ−ＤＰＤＣＨをＩチャンネルから割り当てることによりＰＡＰＲを低減可能にする方法を提供する。この第２の実施の形態は、移動端末がセル間の境界近くに存在していて、ＨＳ−ＤＰＣＣＨがＤＰＤＣＨに比べて比較的に高い電力を有する場合に、ＰＡＰＲを大幅に低減することが可能であるというメリットがある。
【００９４】
先ず、ＨＳ−ＤＰＣＣＨが設定されていない場合、ＯＶＳＦコードの割り当て方法は、下記の通りである。
【００９５】
１．１本のＥ−ＤＰＤＣＨが伝送される場合
Ｅ−ＤＰＤＣＨは、ＱチャンネルにおいてＯＶＳＦコード（ＳＦＥ−ＤＰＤＣＨ、ＳＦＥ−ＤＰＤＣＨ／４）を用いてＥＵＤＣＨ送信シンボルを伝送する。このとき、ＳＦＥ−ＤＰＤＣＨは、４、８、１６、３２、６４、１２８、２５６、５１２などの値を持つ。
【００９６】
そして、上記のＳＦＥ−ＤＰＤＣＨ＝４を用いても十分にＥＵＤＣＨデータレートが得られない場合、上記Ｅ−ＤＰＤＣＨのＯＶＳＦコード（ＳＦＥ−ＤＰＤＣＨ、ＳＦＥ−ＤＰＤＣＨ／４）の代わりに、ＳＦＥ−ＤＰＤＣＨを２に設定して、ＱチャンネルにおいてＯＶＳＦコード（２、１）を用いる。
【００９７】
２．２本のＥ−ＤＰＤＣＨが伝送される場合
Ｅ−ＤＰＤＣＨのＳＦＥ−ＤＰＤＣＨを２に設定する場合、Ｅ−ＤＰＤＣＨ１はＱチャンネルにおいてＯＶＳＦコード（２、１）を用いて伝送され、Ｅ−ＤＰＤＣＨ２はＩチャンネルにおいてＯＶＳＦコード（２、１）を用いて伝送される。
【００９８】
または、上記Ｅ−ＤＰＤＣＨ１がＱチャンネルにおいてＯＶＳＦコード（２、１）を用いて伝送され、上記Ｅ−ＤＰＤＣＨ２がＩチャンネルにおいてＯＶＳＦコード（４、２）を用いて伝送される。このとき、所望のＥＵＤＣＨデータレートが得られない場合、上記Ｅ−ＤＰＤＣＨ２のＳＦＥ−ＤＰＤＣＨを２に設定して、ＯＶＳＦコード（４、２）の代わりにＯＶＳＦコード（２、１）を用いて伝送される。
【００９９】
３．３本のＥ−ＤＰＤＣＨが伝送される場合
Ｅ−ＤＰＤＣＨ１がＱチャンネルにおいてＯＶＳＦコード（２、１）を用いて伝送され、Ｅ−ＤＰＤＣＨ２がＩチャンネルにおいてＯＶＳＦコード（２、１）を用いて伝送される場合、Ｅ−ＤＰＤＣＨ３は、ＱチャンネルにおいてＯＶＳＦ（４、１）を用いて伝送する。
【０１００】
４．４本のＥ−ＤＰＤＣＨが伝送される場合
Ｅ−ＤＰＤＣＨ４は、ＩチャンネルにおいてＯＶＳＦコード（４、１）を用いて伝送される。
【０１０１】
ここで、上記Ｉチャンネル及びＱチャンネルの両方においてＯＶＳＦコード（４、１）が使用可能であることは、ＤＰＤＣＨとＨＳ−ＤＰＣＣＨによって上記ＯＶＳＦコード（４、１）が用いられていない場合に相当する。すなわち、ＤＰＤＣＨが設定されていない場合や、ＤＰＤＣＨが設定されているとしても、ＤＰＤＣＨとＥ−ＤＰＤＣＨのフレーム長が同じである場合に、上記ＤＰＤＣＨが伝送されていないＴＴＩにおいて、上記Ｅ−ＤＰＤＣＨ１、Ｅ−ＤＰＤＣＨ２、Ｅ−ＤＰＤＣＨ３チャンネルに加えて、ＩチャンネルにおいてＯＶＳＦコード（４、１）を用いてＥ−ＤＰＤＣＨ４を伝送する。
【０１０２】
これに対し、ＨＳ−ＤＰＣＣＨが（Ｑ、２５６、６４）に設定されている場合、ＯＶＳＦコードの割り当て方法は、下記の通りである。
【０１０３】
１．１本のＥ−ＤＰＤＣＨが伝送される場合
Ｅ−ＤＰＤＣＨ１は、ＩチャンネルにおいてＯＶＳＦコード（ＳＦＥ−ＤＰＤＣＨ、ＳＦＥ−ＤＰＤＣＨ／２）を用いてＥＵＤＣＨ送信シンボルを伝送する。このとき、ＳＦＥ−ＤＰＤＣＨは、２、４、８、１６、３２、６４、１２８、２５６、５１２などの値を持つ。
【０１０４】
２．２本のＥ−ＤＰＤＣＨが伝送される場合
Ｅ−ＤＰＤＣＨ１はＩチャンネルにおいてＯＶＳＦコード（２、１）を用いて伝送されると共に、Ｅ−ＤＰＤＣＨ２はＱチャンネルにおいてＯＶＳＦコード（２、１）を用いて伝送される。
【０１０５】
「第３の実施の形態」
第３の実施の形態は、ＨＳ−ＤＰＣＣＨが設定されていない場合、上記第２の実施の形態と同じＯＶＳＦコードの割り当て方法を用いる。しかしながら、ＨＳ−ＤＰＣＣＨが（Ｑ、２５６、６４）に設定されているＩチャンネルの代わりに、ＱチャンネルにＥ−ＤＰＤＣＨを割り当てることを特徴とする。
【０１０６】
先ず、ＨＳ−ＤＰＣＣＨが設定されていない場合には、上記第２の実施の形態と同じＯＶＳＦのコード割り当て方法を適用する。
【０１０７】
これに対し、ＨＳ−ＤＰＣＣＨが（Ｑ、２５６、６４）に設定されている場合には、後述するＯＶＳＦコードの割り当て方法を適用する。
【０１０８】
１．１本のＥ−ＤＰＤＣＨが伝送される場合
Ｅ−ＤＰＤＣＨ１は、ＱチャンネルにおいてＯＶＳＦコード（ＳＦＥ−ＤＰＤＣＨ、ＳＦＥ−ＤＰＤＣＨ／２）を用いて伝送される。また、ＳＦＥ−ＤＰＤＣＨとしては、２、４、８、１６、３２、６４、１２８、２５６、５１２などの値が使用可能である。
【０１０９】
２．２本のＥ−ＤＰＤＣＨが伝送される場合
Ｅ−ＤＰＤＣＨのＳＦＥ−ＤＰＤＣＨを２に設定する場合、Ｅ−ＤＰＤＣＨ１はＱチャンネルにおいてＯＶＳＦコード（２、１）を用いて伝送され、Ｅ−ＤＰＤＣＨ２はＩチャンネルにおいてＯＶＳＦコード（２、１）を用いて伝送される。
【０１１０】
または、上記Ｅ−ＤＰＤＣＨ１がＱチャンネルにおいてＯＶＳＦコード（２、１）を用いて伝送され、上記Ｅ−ＤＰＤＣＨ２がＩチャンネルにおいてＯＶＳＦコード（４、２）を用いて伝送される。このとき、所望のＥＵＤＣＨデータレートが得られない場合、上記Ｅ−ＤＰＤＣＨ２のＳＦＥ−ＤＰＤＣＨを２に設定して、ＯＶＳＦコード（４、２）の代わりにＯＶＳＦコード（２、１）を用いて伝送する。
【０１１１】
３．３本のＥ−ＤＰＤＣＨが伝送される場合
ＤＰＤＣＨが設定されていない場合や、ＤＰＤＣＨが設定されているとしても、ＤＰＤＣＨとＥ−ＤＰＤＣＨのフレーム長が同じである場合に、ＩチャンネルにおいてＤＰＤＣＨが伝送されていないＴＴＩにおいて、ＯＶＳＦコード（２、１）を用いてＩチャンネル及びＱチャンネルにおいて伝送されるＥ−ＤＰＤＣＨ１及びＥ−ＤＰＤＣＨ２に加えて、ＱチャンネルにおいてＯＶＳＦ（４、１）を用いてＥ−ＤＰＤＣＨ３を伝送する。
【０１１２】
「第４の実施の形態」
下記の第４実施の形態においては、上記ＨＳ−ＤＰＣＣＨがＱチャンネルにおいてＯＶＳＦコード（２５６、６４）に設定されている場合と関連し、ＤＰＤＣＨが設定されていないか、あるいは、ＤＰＤＣＨが設定されているとしても、Ｅ−ＤＰＤＣＨとＤＰＤＣＨのフレーム長が同じである場合において、ＰＡＰＲを下げてＯＶＳＦコードを効率よく使用可能にする方法を提案する。このとき、Ｅ−ＤＰＤＣＨに用いられるＩ／Ｑチャンネル及びＯＶＳＦコードの割り当て方法は、現在のＴＴＩにおいて伝送されるＤＰＤＣＨの有無によって異なる。
【０１１３】
１．１本のＥ−ＤＰＤＣＨが伝送される場合
現在のＴＴＩにおいてＤＰＤＣＨが伝送される場合には、Ｅ−ＤＰＤＣＨ１は、Ｑチャンネルにおいて（ＳＦＥ−ＤＰＤＣＨ、ＳＦＥ−ＤＰＤＣＨ／２）を用いる。また、ＳＦＥ−ＤＰＤＣＨとしては、２、４、８、１６、３２、６４、１２８、２５６、５１２などの値が使用可能である。
【０１１４】
一方、現在のＴＴＩにおいてＤＰＤＣＨが伝送されていない場合には、ＩチャンネルにおいてＯＶＳＦコード（ＳＦＥ−ＤＰＤＣＨ、ＳＦＥ−ＤＰＤＣＨ／４）を用いる。ＳＦＥ−ＤＰＤＣＨは、４、８、１６、３２、６４、１２８、２５６、５１２などの値を持つ。上記の場合において、ＥＵＤＣＨデータレートをさらに高める必要がある場合、ＯＶＳＦコード（ＳＦＥ−ＤＰＤＣＨ、ＳＦＥ−ＤＰＤＣＨ／４）の代わりにＯＶＳＦコード（２、１）を用いてＥ−ＤＰＤＣＨを伝送する。
【０１１５】
２．２本のＥ−ＤＰＤＣＨが伝送される場合
Ｅ−ＤＰＤＣＨのＳＦＥ−ＤＰＤＣＨを２に設定する場合、Ｅ−ＤＰＤＣＨ１はＱチャンネルにおいてＯＶＳＦコード（２、１）を用いて伝送され、Ｅ−ＤＰＤＣＨ２はＩチャンネルにおいてＯＶＳＦコード（２、１）を用いて伝送される。
【０１１６】
または、上記Ｅ−ＤＰＤＣＨ１がＱチャンネルにおいてＯＶＳＦコード（２、１）を用いて伝送され、上記Ｅ−ＤＰＤＣＨ２がＩチャンネルにおいてＯＶＳＦコード（４、２）を用いて伝送される。このとき、所望のＥＵＤＣＨデータレートが得られない場合、上記Ｅ−ＤＰＤＣＨ２のＳＦＥ−ＤＰＤＣＨを２に設定して、ＯＶＳＦコード（４、２）の代わりにＯＶＳＦコード（２、１）を用いて伝送する。
【０１１７】
３．３本のＥ−ＤＰＤＣＨが伝送される場合
Ｑチャンネル及びＩチャンネルにおいてＯＶＳＦコード（２、１）を用いて伝送されるＥ−ＤＰＤＣＨ１とＥ−ＤＰＤＣＨ２に加えて、現在のＴＴＩにおいてＤＰＤＣＨが伝送されていない場合には、ＩチャンネルにおいてＯＶＳＦコード（４、１）を用いてＥ−ＤＰＤＣＨを伝送する。
【０１１８】
「第５の実施の形態」
第５の実施の形態においては、ＤＰＤＣＨが設定されていない場合にＥ−ＤＰＤＣＨを割り当てる方法を提案する。このとき、Ｅ−ＤＰＤＣＨは、ＨＳ−ＤＰＤＣＨが伝送されるＩ／Ｑチャンネルとは逆となるＩ／Ｑチャンネルに、Ｅ−ＤＰＤＣＨ１を割り当てることを基本的な概念とする。これにより、ＨＳ−ＤＰＣＣＨのチャンネル利得値が高い場合にＰＡＰＲを低減することが可能である。
【０１１９】
先ず、ＨＳ−ＤＰＣＣＨが設定されていない場合におけるＥ−ＤＰＤＣＨの割り当て方法は、下記の通りである。
【０１２０】
１．１本のＥ−ＤＰＤＣＨが伝送される場合
Ｅ−ＤＰＤＣＨ１は、ＩチャンネルにおいてＯＶＳＦコード（ＳＦＥ−ＤＰＤＣＨ、ＳＦＥ−ＤＰＤＣＨ／４）を用いてＥＵＤＣＨ送信シンボルを伝送する。このとき、ＳＦＥ−ＤＰＤＣＨは、４、８、１６、３２、６４、１２８、２５６、５１２などの値を持つ。このとき、ＳＦＥ−ＤＰＤＣＨを４に設定しても、十分なＥＵＤＣＨデータレートが得られない場合、上記ＳＦＥ−ＤＰＤＣＨを２に設定して、ＯＶＳＦコード（ＳＦＥ−ＤＰＤＣＨ、ＳＦＥ−ＤＰＤＣＨ／４）の代わりにＩチャンネルにおいてＯＶＳＦコード（２、１）を用いてＥＵＤＣＨ送信シンボルを伝送する。
【０１２１】
２．２本のＥ−ＤＰＤＣＨが伝送される場合
Ｅ−ＤＰＤＣＨ１は、ＩチャンネルにおいてＯＶＳＦコード（２、１）を用いて伝送され、Ｅ−ＤＰＤＣＨ２はＱチャンネルにおいてＯＶＳＦコード（２、１）を用いて伝送される。
【０１２２】
３．３本以上のＥ−ＤＰＤＣＨが伝送される場合
上記Ｅ−ＤＰＤＣＨ１とＥ−ＤＰＤＣＨ２に加えて、Ｅ−ＤＰＤＣＨ３とＥ−ＤＰＤＣＨ４は、Ｉチャンネル及びＱチャンネルにおいてＯＶＳＦコード（４、１）を用いてＥＵＤＣＨ送信シンボルを伝送する。
【０１２３】
これに対し、上記ＤＰＤＣＨが設定されず、ＨＳ−ＤＰＣＣＨが設定されている場合には、ＨＳ−ＤＰＣＣＨがＩチャンネルに割り当てられていた方がよい。
【０１２４】
１．１本のＥ−ＤＰＤＣＨが伝送される場合
Ｅ−ＤＰＤＣＨは、ＱチャンネルにおいてＯＶＳＦコード（ＳＦＥ−ＤＰＤＣＨ、ＳＦＥ−ＤＰＤＣＨ／４）を用いてＥＵＤＣＨ送信シンボルを伝送する。このとき、ＳＦＥ−ＤＰＤＣＨは、４、８、１６、３２、６４、１２８、２５６、５１２などの値を持つ。そして、ＳＦＥ−ＤＰＤＣＨ＝４を用いても十分なＥＵＤＣＨデータレートが得られない場合、上記ＳＦを２に設定して、ＱチャンネルにおいてＯＶＳＦコード（２、１）を用いる。
【０１２５】
２．２本のＥ−ＤＰＤＣＨが伝送される場合
Ｅ−ＤＰＤＣＨ１はＱチャンネルにおいてＯＶＳＦコード（２、１）を用いて伝送され、Ｅ−ＤＰＤＣＨ２はＩチャンネルにおいてＯＶＳＦコード（２、１）を用いて伝送される。
【０１２６】
３．３本以上のＥ−ＤＰＤＣＨが伝送される場合
Ｑチャンネル及びＩチャンネルにおいてＯＶＳＦコード（２、１）を用いて伝送されるＥ−ＤＰＤＣＨ１とＥ−ＤＰＤＣＨ２に加えて、Ｑチャンネル及びＩチャンネルの両方においてＥ−ＤＰＤＣＨ３とＥ−ＤＰＤＣＨ４がＯＶＳＦコード（４、１）を用いてさらに伝送される。
【０１２７】
図４に戻り、上記ＥＵＤＣＨ伝送制御部４０２は、上記ノードＢの制御スケジューリングに必要とされる、ＵＥのデータバッファの状態、ＣＳＩなどを、上記Ｅ−ＤＰＣＣＨを介して上記ノードＢに伝送する。上記ＥＵＤＣＨ伝送制御部４０２は、上記Ｅ−ＴＦＲＩを決め、上記決められたＥ−ＴＦＲＩは、上記Ｅ−ＤＰＣＣＨを介してノードＢに伝送される。また、上記Ｅ−ＴＦＲＩは、伝送可能な最大のデータレートなどを用いて決められる。
【０１２８】
上記ＥＵＤＣＨパケット伝送部４０４は、上記Ｅ−ＴＦＲＩにより決められたパケットデータを、上記ＥＵＤＣＨデータバッファ４００から受け渡される。上記受け渡されたパケットデータは、上記Ｅ−ＴＦＲＩを用いて、チャンネルコーディングと変調のプロセスを行った後、本発明の実施例に従って、Ｅ−ＤＰＤＣＨ１、Ｅ−ＤＰＤＣＨ２チャンネルを介して上記ノードＢに伝送する。
【０１２９】
上記ＤＰＤＣＨのデータは、乗算器４２２においてＯＶＳＦコードｃｄを用いてチップレートにより拡散され、乗算器４２４においてチャンネル利得βｄと乗算される。上記チャンネル利得βｄと乗算された上記ＤＰＤＣＨのデータは、加算器４２６に入力される。
【０１３０】
Ｅ−ＤＰＣＣＨの制御情報は、乗算器４０６において他の物理チャンネルとの直交性を維持するためにＯＶＳＦコードｃｃｈ、ＳＦ、１、すなわち、（ＳＦＥ−ＤＰＣＣＨ、１）を用いてチップレートにより拡散される。その後、乗算器４０８においてチャンネル利得βｅｃと乗算される。上記チャンネル利得βｅｃと乗算された上記Ｅ−ＤＰＣＣＨの制御情報は、上記加算器４２６に入力される。
【０１３１】
上記ＥＵＤＣＨパケット伝送部４０４から受け渡されたパケットデータは、（Ｉ＋ｊＱ）の複素数シンボルストリームに変換された後、Ｉ／Ｑチャンネル成分として、それぞれ乗算器４４６と乗算器４１６に受け渡される。上記乗算器４４６は、上記パケットデータを変調シンボルのＩチャンネル成分として、ＯＶＳＦコードＣｅｄ２を用いてチップレートにて拡散する。上記乗算器４４６の出力は、乗算器４４８においてチャンネル利得βｅｄ２と乗算される。上記加算器４２６は、入力された上記ＤＰＤＣＨのデータと上記Ｅ−ＤＰＣＣＨの制御情報とＥ−ＤＰＤＣＨ２を加算した後、Ｉチャンネルを構成する。
【０１３２】
上記ＤＰＣＣＨの制御情報は、乗算器４２８においてＯＶＳＦコード（２５６、０）、すなわちｃｃｈ、２５６、０を用いてチップレートにて拡散され、乗算器４３０においてチャンネル利得βｃと乗算される。上記チャンネル利得βｃと乗算された上記ＤＰＣＣＨの制御情報は、加算器４３６に入力される。
【０１３３】
上記ＨＳ−ＤＰＣＣＨの制御情報は、乗算器４３２においてＯＶＳＦコード（２５６、６４）、すなわちｃｃｈ、２５６、６４を用いてチップレートにて拡散され、乗算器４３４においてチャンネル利得βｈｓと乗算される。
【０１３４】
また、上記ＥＵＤＣＨパケット伝送部４０４から受け渡されたＥＵＤＣＨパケットデータ変調シンボルのＱチャンネル成分は、乗算器４１６においてＯＶＳＦコードＣｅｄ１を用いてチップレートにて拡散される。上記乗算器４１６の出力は、乗算器４１８においてチャンネル利得βｅｄ１と乗算される。上記加算器４３６は、入力された上記ＤＰＣＣＨの制御情報と上記ＨＳ−ＤＰＣＣＨの制御情報と上記Ｅ−ＤＰＤＣＨ１のデータを加算した後、Ｑチャンネルを構成する。上記加算器４３６の出力は、乗算器４３８において虚数を乗算した後、加算器４４０に受け渡される。
【０１３５】
上記加算器４４０は、上記加算器４２６の出力と上記乗算器４３８の出力とを加算して、１本の複素シンボル列を構成した後、その複素シンボル列を乗算器４５０に受け渡す。上記乗算器４５０は、受け渡された上記複素シンボル列をスクランブルコードＳｄｐｃｈ、１を用いてスクランブルする。上記スクランブルされた複素シンボル列は、パルス成形フィルタ４５２においてパルス状に変換された後、ＲＦモジュール４５４を経て、アンテナ４５６を介して上記ノードＢに受け渡される。
【０１３６】
図５は、図４によるＰＡＰＲの低減効果を物理チャンネルの設定例と比較して示す図である。
【０１３７】
図５における参照符号４０が、本発明において提案する方法を適用した場合であり、参照符号４１及び参照符号４２は、Ｅ−ＤＰＣＣＨに対して異なるＯＶＳＦコードの割り当て、あるいは異なるＩ／Ｑチャンネルの割り当てを適用した場合である。ここで、上記ＰＡＰＲの結果は、Ｒｅｌ−５のＷＣＤＭＡ標準規格に規定される送信パルス成形フィルタ４５２及びスクランブルコードを適用してシミュレーションを行うことにより得られたものであり、適用されたチャンネル利得β値の設定は、ＥＵＤＣＨ技術の論議の時によく適用される。
【０１３８】
図５を参照すると、先ず、上記本発明において提案するケース４０の場合が、ケース４１の場合に比べて、約０．７ｄＢのＰＡＰＲの低減効果がある。また、本発明において提案するケース４０の場合が、ケース４２の場合に比べて、約０．１２ｄＢのＰＡＰＲの低減効果がある。すなわち、本発明において提案するＥ−ＤＰＣＣＨとＥ−ＤＰＤＣＨのＯＶＳＦコード及びＩ／Ｑチャンネルの割り当て方法によれば、相対的に低いＰＡＰＲを得ることができる。
【０１３９】
下記の第６の実施の形態ないし第９の実施の形態においては、図４と関連して既存のＲｅｌ−５標準規格との互換性を維持し、且つ、ＤＰＤＣＨが１本以上伝送される場合、ＨＳ−ＤＰＣＣＨの伝送有無を考慮して、Ｅ−ＤＰＣＣＨ及びＥ−ＤＰＤＣＨのＯＶＳＦコード及びＩ／Ｑチャンネルを割り当てる方法を説明する。
【０１４０】
「第６の実施の形態」
１．ＤＰＤＣＨが１本以上伝送可能であり、且つ、ＨＳ−ＤＰＣＣＨが伝送されない場合
現在の標準規格によるＤＰＣＣＨとＤＰＤＣＨのＩ／Ｑチャンネル及びＯＶＳＦコードの割り当ては、下記表１の通りである。
【０１４１】
【表１】
2007535233.tif 000007
【０１４２】
すなわち、ＤＰＣＣＨはＱチャンネルにおいてＯＶＳＦコード（２５６、０）を用いて伝送され、ＤＰＤＣＨはＯＶＳＦコード（ＳＦＤＰＤＣＨ、ＳＦＤＰＤＣＨ／４）を用いてＩチャンネルに割り当て可能である。このとき、ＳＦＤＰＤＣＨの値としては、４、８、１６、３２、６４、１２８、２５６、５１２などの値が適用可能である。
【０１４３】
上記表１における現在の標準との互換性を考慮した、本発明におけるＥ−ＤＰＣＣＨとＥ−ＤＰＤＣＨのＩ／Ｑチャンネル及びＯＶＳＦコードの割り当ては、下記表２の通りである。
【０１４４】
【表２】
2007535233.tif 000008
【０１４５】
以上において、Ｅ−ＤＰＣＣＨのＳＦＥ−ＤＰＣＣＨとしては、８、１６、３２、６４、１２８、２５６などの値が適用可能であり、Ｅ−ＤＰＤＣＨのＳＦＥ−ＤＰＤＣＨとしては、４、８、１６、３２、６４、１２８、２５６、５１２などの値が適用可能である。
【０１４６】
上記表２に示すように、最大５本のＥ−ＤＰＤＣＨが伝送可能であり、Ｅ−ＤＰＤＣＨ１にＳＦ＝４を適用すると、Ｅ−ＤＰＤＣＨ１はＱチャンネルにおいてＯＶＳＦコード（４、１）を用いて伝送され、Ｅ−ＤＰＤＣＨ２はＩチャンネルにおいてＯＶＳＦコード（４、３）を用いて伝送される。また、Ｅ−ＤＰＤＣＨ３はＱチャンネルにおいてＯＶＳＦコード（４、３）を用いて伝送され、Ｅ−ＤＰＤＣＨ４はＩチャンネルにおいてＯＶＳＦコード（４、２）を用いて伝送される。最後に、Ｅ−ＤＰＤＣＨ５は、ＱチャンネルにおいてＯＶＳＦコード（４、２）を用いて伝送される。
【０１４７】
２．ＤＰＤＣＨが１本以上伝送可能であり，ＨＳ−ＤＰＣＣＨが伝送される場合
現在の標準規格によるＤＰＣＣＨ、ＤＰＤＣＨ、ＨＳ−ＤＰＣＣＨのＩ／Ｑチャンネル及びＯＶＳＦコードの割り当ては、下記表３の通りである。
【０１４８】
【表３】
2007535233.tif 000009
【０１４９】
上記表３における現在の標準との互換性を考慮した、本発明におけるＥ−ＤＰＣＣＨとＥ−ＤＰＤＣＨのＩ／Ｑチャンネル及びＯＶＳＦコードの割り当ては、下記表４の通りである。
【０１５０】
【表４】
2007535233.tif 000010
【０１５１】
以上において、Ｅ−ＤＰＣＣＨのＳＦＥ−ＤＰＣＣＨとしては、８、１６、３２、６４、１２８、２５６などの値が適用可能であり、Ｅ−ＤＰＤＣＨのＳＦＥ−ＤＰＤＣＨとしては、４、８、１６、３２、６４、１２８、２５６、５１２などの値が適用可能である。
【０１５２】
このとき、最大４本のＥ−ＤＰＤＣＨが伝送可能であり、ＳＦＥ−ＤＰＤＣＨ＝４を適用すると、Ｅ−ＤＰＤＣＨ１とＥ−ＤＰＤＣＨ２はそれぞれ（Ｑ、４、３）と（Ｉ、４、３）に割り当てられる。Ｅ−ＤＰＤＣＨ３は、ＱチャンネルにおいてＯＶＳＦコード（４、２）を用いて伝送され、Ｅ−ＤＰＤＣＨ４は、ＩチャンネルにおいてＯＶＳＦコード（４、２）を用いて伝送される。
【０１５３】
３．ＤＰＤＣＨが最大２本伝送可能であり、且つ、ＨＳ−ＤＰＣＣＨが伝送されない場合
現在の標準規格によるＤＰＣＣＨとＤＰＤＣＨのＩ／Ｑチャンネル及びＯＶＳＦコードの割り当ては、下記表５の通りである。
【０１５４】
【表５】
2007535233.tif 000011
【０１５５】
上記表５における現在の標準との互換性を考慮した、本発明におけるＥ−ＤＰＣＣＨとＥ−ＤＰＤＣＨのＩ／Ｑチャンネル及びＯＶＳＦコードの割り当ては、下記表６の通りである。
【０１５６】
【表６】
2007535233.tif 000012
【０１５７】
以上において、Ｅ−ＤＰＣＣＨのＳＦＥ−ＤＰＣＣＨとしては、８、１６、３２、６４、１２８、２５６などの値が適用可能であり、Ｅ−ＤＰＤＣＨのＳＦＥ−ＤＰＤＣＨとしては、４、８、１６、３２、６４、１２８、２５６、５１２などの値が適用可能である。
【０１５８】
このとき、最大４本のＥ−ＤＰＤＣＨが伝送可能であり、ＳＦＥ−ＤＰＤＣＨ＝４を適用すると、Ｅ−ＤＰＤＣＨ１とＥ−ＤＰＤＣＨ２は、それぞれ（Ｑ、４、３）と（Ｉ、４、３）を用いて伝送される。Ｅ−ＤＰＤＣＨ３は、ＱチャンネルにおいてＯＶＳＦコード（４、２）を用いて伝送され、Ｅ−ＤＰＤＣＨ４は、ＩチャンネルにおいてＯＶＳＦコード（４、２）を用いて伝送される。
【０１５９】
４．ＤＰＤＣＨが最大２本伝送可能であり、且つ、ＨＳ−ＤＰＣＣＨが伝送される場合
現在の標準規格によるＤＰＣＣＨ、ＤＰＤＣＨ、ＨＳ−ＤＰＣＣＨのＩ／Ｑチャンネル及びＯＶＳＦコードの割り当ては、下記表７の通りである。
【０１６０】
【表７】
2007535233.tif 000013
【０１６１】
上記表７における現在の標準との互換性を考慮した、本発明におけるＥ−ＤＰＣＣＨとＥ−ＤＰＤＣＨのＩ／Ｑチャンネル及びＯＶＳＦコードの割り当ては、下記表８の通りである。
【０１６２】
【表８】
2007535233.tif 000014
【０１６３】
以上において、Ｅ−ＤＰＣＣＨのＳＦＥ−ＤＰＣＣＨとしては、６４、１２８、２５６などの値が適用可能であり、Ｅ−ＤＰＤＣＨのＳＦＥ−ＤＰＤＣＨとしては、４、８、１６、３２、６４、１２８、２５６、５１２などの値が適用可能である。
【０１６４】
このとき、最大４本のＥ−ＤＰＤＣＨが伝送可能であり、ＳＦ＝４を適用すると、Ｅ−ＤＰＤＣＨ１とＥ−ＤＰＤＣＨ２は、それぞれ（Ｉ、４、３）と（Ｑ、４、３）に割り当てられる。Ｅ−ＤＰＤＣＨ３は、ＩチャンネルにおいてＯＶＳＦコード（４、２）を用いて伝送され、Ｅ−ＤＰＤＣＨ４は、ＱチャンネルにおいてＯＶＳＦコード（４、２）を用いて伝送される。
【０１６５】
５．ＤＰＤＣＨが最大３本伝送可能であり、且つ、ＨＳ−ＤＰＣＣＨが伝送されない場合
現在の標準規格によるＤＰＣＣＨとＤＰＤＣＨのＩ／Ｑチャンネル及びＯＶＳＦコードの割り当ては、下記表９の通りである。
【０１６６】
【表９】
2007535233.tif 000015
【０１６７】
上記表９における現在の標準との互換性を考慮した、本発明におけるＥ−ＤＰＣＣＨとＥ−ＤＰＤＣＨのＩ／Ｑチャンネル及びＯＶＳＦコードの割り当ては、下記表１０の通りである。
【０１６８】
【表１０】
2007535233.tif 000016
【０１６９】
以上において、Ｅ−ＤＰＣＣＨのＳＦＥ−ＤＰＣＣＨとしては、８、１６、３２、６４、１２８、２５６などの値が適用可能であり、Ｅ−ＤＰＤＣＨのＳＦＥ−ＤＰＤＣＨとしては、４、８、１６、３２、６４、１２８、２５６、５１２などの値が適用可能である。
【０１７０】
このとき、最大３本のＥ−ＤＰＤＣＨが伝送可能であり、ＳＦ＝４を適用すると、Ｅ−ＤＰＤＣＨ１はＱチャンネルにおいてＯＶＳＦコード（４、３）を用いて伝送される。Ｅ−ＤＰＤＣＨ２はＩチャンネルにおいてＯＶＳＦコード（４、２）を用いて伝送され、Ｅ−ＤＰＤＣＨ３はＱチャンネルにおいてＯＶＳＦコード（４、２）を用いて伝送される。
【０１７１】
６．ＤＰＤＣＨが最大３本伝送可能であり、且つ、ＨＳ−ＤＰＣＣＨが伝送される場合
【０１７２】
現在の標準規格によるＤＰＣＣＨ、ＤＰＤＣＨ、ＨＳ−ＤＰＣＣＨのＩ／Ｑチャンネル及びＯＶＳＦコードの割り当ては、下記表１１の通りである。
【０１７３】
【表１１】
2007535233.tif 000017
【０１７４】
上記表１１における現在の標準との互換性を考慮した、本発明におけるＥ−ＤＰＣＣＨとＥ−ＤＰＤＣＨのＩ／Ｑチャンネル及びＯＶＳＦコードの割り当ては、下記表１２の通りである。
【０１７５】
【表１２】
2007535233.tif 000018
【０１７６】
以上において、Ｅ−ＤＰＣＣＨのＳＦＥ−ＤＰＣＣＨとしては、８、１６、３２、６４、１２８、２５６などの値が適用可能であり、Ｅ−ＤＰＤＣＨのＳＦＥ−ＤＰＤＣＨとしては、４、８、１６、３２、６４、１２８、２５６、５１２などの値が適用可能である。
【０１７７】
このとき、最大３本のＥ−ＤＰＤＣＨが伝送可能であり、且つ、ＳＦ＝４を適用する場合、Ｅ−ＤＰＤＣＨ１はＱチャンネルにおいてＯＶＳＦコード（４、３）を用いて伝送され、Ｅ−ＤＰＤＣＨ２はＩチャンネルにおいてＯＶＳＦコード（４、２）を用いて伝送され、そして、Ｅ−ＤＰＤＣＨ３はＱチャンネルにおいてＯＶＳＦコード（４、２）を用いて伝送される。
【０１７８】
７．ＤＰＤＣＨが最大４本伝送可能であり、且つ、ＨＳ−ＤＰＣＣＨが伝送されない場合
現在の標準規格によるＤＰＣＣＨとＤＰＤＣＨのＩ／Ｑチャンネル及びＯＶＳＦコードの割り当ては、下記表１３の通りである。
【０１７９】
【表１３】
2007535233.tif 000019
【０１８０】
上記表１３における現在の標準との互換性を考慮した、本発明におけるＥ−ＤＰＣＣＨとＥ−ＤＰＤＣＨのＩ／Ｑチャンネル及びＯＶＳＦコードの割り当ては、下記表１４の通りである。
【０１８１】
【表１４】
2007535233.tif 000020
【０１８２】
以上において、Ｅ−ＤＰＣＣＨのＳＦＥ−ＤＰＣＣＨとしては、８、１６、３２、６４、１２８、２５６などの値が適用可能であり、Ｅ−ＤＰＤＣＨのＳＦＥ−ＤＰＤＣＨとしては、４、８、１６、３２、６４、１２８、２５６、５１２などの値が適用可能である。
【０１８３】
このとき、最大２本のＥ−ＤＰＤＣＨが伝送可能であり、ＳＦ＝４を適用すると、Ｅ−ＤＰＤＣＨ１はＩチャンネルにおいてＯＶＳＦコード（４、２）を用いて伝送され、Ｅ−ＤＰＤＣＨ２はＱチャンネルにおいてＯＶＳＦコード（４、２）を用いて伝送される。
【０１８４】
８．ＤＰＤＣＨが最大４本伝送可能であり、且つ、ＨＳ−ＤＰＣＣＨが伝送される場合
現在の標準規格によるＤＰＣＣＨとＤＰＤＣＨのＩ／Ｑチャンネル及びＯＶＳＦコードの割り当ては、下記表１５の通りである。
【０１８５】
【表１５】
2007535233.tif 000021
【０１８６】
上記表１５における現在の標準との互換性を考慮した、本発明におけるＥ−ＤＰＣＣＨとＥ−ＤＰＤＣＨのＩ／Ｑチャンネル及びＯＶＳＦコードの割り当ては、下記表１６の通りである。
【０１８７】
【表１６】
2007535233.tif 000022
【０１８８】
以上において、Ｅ−ＤＰＣＣＨのＳＦＥ−ＤＰＣＣＨとしては、６４、１２８、２５６などの値が適用可能であり、Ｅ−ＤＰＤＣＨのＳＦＥ−ＤＰＤＣＨとしては、４、８、１６、３２、６４、１２８、２５６、５１２などの値が適用可能である。
【０１８９】
このとき、最大２個のＥ−ＤＰＤＣＨが伝送可能であり、ＳＦ＝４を適用すると、Ｅ−ＤＰＤＣＨ１はＩチャンネルにおいてＯＶＳＦコード（４、２）を用いて伝送され、Ｅ−ＤＰＤＣＨ２はＱチャンネルにおいてＯＶＳＦコード（４、２）を用いて伝送される。
【０１９０】
９．ＤＰＤＣＨが最大５本伝送可能であり、且つ、ＨＳ−ＤＰＣＣＨが伝送されない場合
現在の標準規格によるＤＰＣＣＨとＤＰＤＣＨのＩ／Ｑチャンネル及びＯＶＳＦコードの割り当ては、下記表１７の通りである。
【０１９１】
【表１７】
2007535233.tif 000023
【０１９２】
上記表１７における現在の標準との互換性を考慮した、本発明におけるＥ−ＤＰＣＣＨとＥ−ＤＰＤＣＨのＩ／Ｑチャンネル及びＯＶＳＦコードの割り当ては、下記表１８の通りである。
【０１９３】
【表１８】
2007535233.tif 000024
【０１９４】
以上において、Ｅ−ＤＰＣＣＨのＳＦＥ−ＤＰＣＣＨは、８、１６、３２、６４、１２８、２５６などが適用可能であり、Ｅ−ＤＰＤＣＨのＳＦＥ−ＤＰＤＣＨは、８、１６、３２、６４、１２８、２５６、５１２などの値が適用可能である。Ｅ−ＤＰＤＣＨは、最大１本のみ伝送可能である。上記Ｅ−ＤＰＤＣＨ１は、ＱチャンネルにおいてＯＶＳＦコード（４、２）を用いて伝送される。
【０１９５】
１０．ＤＰＤＣＨが最大５本伝送可能であり、ＨＳ−ＤＰＣＣＨが伝送される場合
現在の標準規格によるＤＰＣＣＨとＤＰＤＣＨのＩ／Ｑチャンネル及びＯＶＳＦコードの割り当ては、下記表１９の通りである。
【０１９６】
【表１９】
2007535233.tif 000025
【０１９７】
上記表１９における現在の標準との互換性を考慮した、本発明におけるＥ−ＤＰＣＣＨとＥ−ＤＰＤＣＨのＩ／Ｑチャンネル及びＯＶＳＦコードの割り当ては、下記表２０の通りである。
【０１９８】
【表２０】
2007535233.tif 000026
【０１９９】
以上において、Ｅ−ＤＰＣＣＨのＳＦＥ−ＤＰＣＣＨとしては、８、１６、３２、６４、１２８、２５６などの値が適用可能であり、Ｅ−ＤＰＤＣＨは最大１本のみが伝送可能である。上記Ｅ−ＤＰＤＣＨ１は、ＱチャンネルにおいてＯＶＳＦコード（４、２）を用いて伝送される。
【０２００】
「第７の実施の形態」
下記においては、上記第６の実施の形態と比較して、ＲＦ電力増幅器に求められる電力バックオフはほとんどそのままであるが、一層簡単な割り当て規則を提示する。このとき、Ｅ−ＤＰＣＣＨとＥ−ＤＰＤＣＨのＩ／Ｑチャンネル及びＯＶＳＦコードの割り当ては、最大伝送可能なＤＰＤＣＨの数とＨＳ−ＤＰＣＣＨの伝送有無によって決められ、基本的な規則は、下記の通りである。
【０２０１】
Ｅ−ＤＰＣＣＨ：最大伝送可能なＤＰＤＣＨの数が２若しくは４であり、ＨＳ−ＤＰＣＣＨが（Ｉ、２５６、１）に割り当てられる場合には（Ｑ、ＳＦＥ＿ＤＰＣＣＨ、ＳＦＥ＿ＤＰＣＣＨ／８）を用い、それ以外の場合には、常に（Ｉ、ＳＦＥ＿ＤＰＣＣＨ、１）を用いる。
【０２０２】
Ｅ−ＤＰＤＣＨ：多数本のＤＰＤＣＨが伝送されるとき、ＤＰＤＣＨはデータレートに応じて（Ｉ、４、１）、（Ｑ、４、１）、（Ｉ、４、３）、（Ｑ、４、３）、（Ｉ、４、２）、（Ｑ、４、２）の順にＯＶＳＦコードを用いる。このため、上記Ｅ−ＤＰＤＣＨは、さらに、上記６個のコードのうちＤＰＤＣＨの伝送のために設定されているものを除く残りのコードを、ＥＵＤＣＨパケットデータレートに応じて、上記の順番で用いる。
【０２０３】
そして、ＨＳＤＰＡは、ＥＵＤＣＨのみが伝送される独立伝送の場合には、ＩチャンネルにおいてＯＶＳＦコード（２５６、１）を用い、ＤＰＤＣＨが設定されている場合には、Ｒｅｌ−５標準規格に従う。
【０２０４】
Ｅ−ＤＰＣＣＨとＥ−ＤＰＤＣＨのＩ／Ｑチャンネル及びＯＶＳＦコードをこのように割り当てた方が、ＰＡＰＲの面から最適である。
【０２０５】
１．ＨＳ−ＤＰＣＣＨが設定されていない場合、及びＥＵＤＣＨ独立伝送の場合
Ｅ−ＤＰＣＣＨは、常に（Ｉ、ＳＦＥ＿ＤＰＣＣＨ、１）を用いる。このとき、ＦＥ＿ＤＰＣＣＨとしては、８、１６、３２、６４、１２８、２５６などの値が適用可能である。
【０２０６】
さらに、Ｅ−ＤＰＤＣＨは、最大伝送可能なＤＰＤＣＨの数によって、下記表２１のようにＩ／Ｑチャンネル及びＯＶＳＦコードが割り当てられる。
【０２０７】
【表２１】
2007535233.tif 000027
【０２０８】
上記表２１において、ＳＦとしては、４、８、１６、３２、６４、１２８、２５６、５１２などの値が適用可能である。上記表２１において、最大伝送可能なＤＰＤＣＨの数が０であれば、ＥＵＤＣＨデータを伝送するＥ−ＤＰＤＣＨは、最大６個のコードが使用可能である。
【０２０９】
例えば、上記ＥＵＤＣＨのデータレートによって、上記６本のチャンネルをいずれも用いる場合、以下の割り当てが考えられる。すなわち、Ｅ−ＤＰＤＣＨ１は、ＩチャンネルにおいてＯＶＳＦコード（４、１）を用いて伝送され、Ｅ−ＤＰＤＣＨ２は、ＱチャンネルにおいてＯＶＳＦコード（４、１）を用いて伝送される。また、Ｅ−ＤＰＤＣＨ３は、ＩチャンネルにおいてＯＶＳＦコード（４、３）を用いて伝送され、Ｅ−ＤＰＤＣＨ４は、ＱチャンネルにおいてＯＶＳＦコード（４、３）を用いて伝送される。さらに、Ｅ−ＤＰＤＣＨ５は、ＩチャンネルにおいてＯＶＳＦコード（４、２）を用いて伝送され、Ｅ−ＤＰＤＣＨ６は、ＱチャンネルにおいてＯＶＳＦコード（４、２）を用いて伝送される。
【０２１０】
他の例として、上記表２１において、最大伝送可能なＤＰＤＣＨの数が４である場合、ＥＵＤＣＨデータを伝送するためのＥ−ＤＰＤＣＨは、最大２個のコードが使用可能である。上記Ｅ−ＤＰＤＣＨのために、Ｅ−ＤＰＤＣＨ１は、ＩチャンネルにおいてＯＶＳＦコード（ＳＦ、ＳＦ／２）を用いて伝送され、さらに割り当てられるＥ−ＤＰＤＣＨ２は、ＱチャンネルにおいてＯＶＳＦコード（４、２）を用いて伝送される。
【０２１１】
２．ＤＰＤＣＨが最大１本伝送可能であり、且つ、ＨＳ−ＤＰＣＣＨが（Ｑ、２５６、６４）に設定されている場合
Ｅ−ＤＰＣＣＨは常に（Ｉ、ＳＦＥ＿ＤＰＣＣＨ、１）を用いる。ここで、ＳＦＥ＿ＤＰＣＣＨとしては、８、１６、３２、６４、１２８、２５６などの値が適用可能である。
【０２１２】
また、Ｅ−ＤＰＤＣＨは、ＥＵＤＣＨデータレートによって、さらに４個のＯＶＳＦコード（Ｉ、ＳＦ、ＳＦ／２＋ＳＦ／４）、（Ｑ、４、３）、（Ｉ、４、２）、（Ｑ、４、２）を順番に割り当てられる。このとき、ＳＦとしては、４、８、１６、３２、６４、１２８、２５６、５１２などの値が適用可能である。ここで、上記ＨＳ−ＤＰＣＣＨはＱチャンネルにおいて（Ｑ、２５６、６４）に割り当てられているため、ＯＶＳＦコード（４、１）をＥ−ＤＰＤＣＨのために用いることは困難である。
【０２１３】
３．ＤＰＤＣＨが最大２本以上伝送可能であり、且つ、ＨＳ−ＤＰＣＣＨが設定されている場合
Ｅ−ＤＰＣＣＨは、最大伝送可能なＤＰＤＣＨの数によって、下記表２２に示すように、Ｉ／Ｑチャンネル及びＯＶＳＦコードが割り当てられる。
【０２１４】
【表２２】
2007535233.tif 000028
【０２１５】
このとき、最大伝送可能なＤＰＤＣＨの数が２若しくは４であり、ＨＳ−ＤＰＣＣＨが（Ｉ、２５６、１）であれば、Ｅ−ＤＰＣＣＨは（Ｑ、ＳＦＥ＿ＤＰＣＣＨ、ＳＦＥ＿ＤＰＣＣＨ／８）を用いる。このとき、上記ＳＦＥ＿ＤＰＣＣＨとしては、６４、１２８、２５６などの値が適用可能である。
【０２１６】
これに対し、Ｅ−ＤＰＤＣＨは、最大伝送可能なＤＰＤＣＨの数によって、上記表２１に示すようにＩ／Ｑチャンネル及びＯＶＳＦコードが割り当てられる。
【０２１７】
「第８の実施の形態」
第８の実施の形態は、Ｅ−ＤＰＤＣＨが同じインデックスのＯＶＳＦコードに対して先にＱチャンネルに割り当てられ、さらにＩチャンネルに割り当てられることを基本的な原則とする。このとき、最大伝送可能なＤＰＤＣＨの数とＨＳ−ＤＰＣＣＨの伝送有無によって、Ｅ−ＤＰＤＣＨのコードが決められる。
【０２１８】
すなわち、第８の実施の形態によって、ＤＰＤＣＨが最初にＩチャンネルに割り当てられ、Ｅ−ＤＰＤＣＨが最初にＱチャンネルに割り当てられることにより、Ｉ／Ｑチャンネルにおいて伝送されるＤＰＤＣＨ及びＥ−ＤＰＤＣＨの数を均等にできる。換言すると、ＨＳ−ＤＰＣＣＨがＱチャンネルにおいてＯＶＳＦコード２５６、６４を用いて伝送される場合や、ＤＰＤＣＨが最大伝送可能な数よりも少数で伝送されるとき、ＤＰＤＣＨとＥ−ＤＰＤＣＨがＩチャンネルに偏り、その結果、ＰＡＰＲが高まり過ぎることを防ぐことができる。
【０２１９】
一方、上述のＥ−ＤＰＤＣＨのＯＶＳＦコード及びＩ／Ｑチャンネルの割り当て規則を適用する場合、ＱチャンネルにおいてＯＶＳＦコード（２５６、０）を用いるＤＰＣＣＨに対応して、Ｅ−ＤＰＣＣＨについてはＩチャンネルにおいてＯＶＳＦコード（ＳＦ、１）を用いて伝送し、その結果、ＰＡＰＲの増加を極力抑える。ここで、ＳＦとしては、４、８、１６、３２、６４、１２８などの値が適用可能である。そして、ＨＳＤＰＡは、ＥＵＤＣＨ独立伝送である場合には、ＩチャンネルにおいてＯＶＳＦコード（２５６、１）を用い、ＤＰＤＣＨが設定されている場合には、Ｒｅｌ−５標準規格に従う。上述のようにＯＶＳＦコードを割り当てた方が、ＰＡＰＲの側面から最適である。
【０２２０】
１．ＨＳ−ＤＰＣＣＨが設定されていない場合、及びＥＵＤＣＨが独立伝送である場合
Ｅ−ＤＰＤＣＨは、最大伝送可能なＤＰＤＣＨの数の設定によって、下記表２３に示すようにＩ／Ｑチャンネル及びＯＶＳＦコードが割り当てられる。
【０２２１】
【表２３】
2007535233.tif 000029
【０２２２】
上記表２３において、ＳＦとしては、４、８、１６、３２、６４、１２８、２５６、５１２などの値が適用可能である。上記表２３において、最大伝送可能なＤＰＤＣＨの数が０である場合には、最大６本のＥ−ＤＰＤＣＨが伝送可能である。上記の場合、伝送されるＥ−ＤＰＤＣＨの数によって、ＯＶＳＦコードが（Ｑ、ＳＦ、ＳＦ／４）、（Ｉ、４、１）、（Ｑ、４、３）、（Ｉ、４、３）、（Ｑ、４、２）、（Ｉ、４、２）の順に用いられる。
【０２２３】
これに対し、最大伝送可能なＤＰＤＣＨの数が１である場合には、ＥＵＤＣＨデータを伝送するＥ−ＤＰＤＣＨのために最大５個のコードが使用可能であるため、最大５本のＥ−ＤＰＤＣＨが伝送可能である。この場合、伝送されるＥ−ＤＰＤＣＨの数によって、ＯＶＳＦコードが（Ｑ、ＳＦ、ＳＦ／４）、（Ｑ、４、３）、（Ｉ、４、３）、（Ｑ、４、２）、（Ｉ、４、２）の順に用いられる。
【０２２４】
他の例として、上記表２３において、最大伝送可能なＤＰＤＣＨの数が４である場合、Ｅ−ＤＰＤＣＨには最大２個のコードが使用可能である。上記の場合、Ｅ−ＤＰＤＣＨが１本のみ伝送されるときには、ＱチャンネルにおいてＯＶＳＦコード（ＳＦ、ＳＦ／２を用いて伝送され、必要に応じて、さらに割り当てられるＥ−ＤＰＤＣＨはＩチャンネルにおいてＯＶＳＦコード（４、２）を用いて伝送される。
【０２２５】
２．ＤＰＤＣＨが最大１本伝送可能であり、且つ、ＨＳ−ＤＰＣＣＨが（Ｑ、２５６、６４）に設定されている場合
Ｅ−ＤＰＤＣＨには、ＥＵＤＣＨデータレートによって、４個のＯＶＳＦコード（Ｑ、ＳＦ、ＳＦ／２＋ＳＦ／４）、（Ｉ、４、３）、（Ｑ、４、２）、（Ｉ、４、２）がこの順でさらに割り当てられる。このとき、ＳＦとしては、４、８、１６、３２、６４、１２８、２５６、５１２などの値が適用可能である。
【０２２６】
例えば、Ｅ−ＤＰＤＣＨが１本のみ伝送される場合、ＱチャンネルにおいてＯＶＳＦコード（ＳＦ、ＳＦ／２＋ＳＦ／４）を用いて伝送される。これは、Ｉチャンネル及びＱチャンネルの一方のチャンネルにデータ物理チャンネルが偏ることに伴い、ＰＡＰＲが大きくなることを防ぐためである。このため、ＤＰＤＣＨはＩチャンネルにおいて伝送し、Ｅ−ＤＰＤＣＨはＱチャンネルにおいて伝送することにより、Ｉチャンネル及びＱチャンネルにおいて伝送されるデータ物理チャンネルの数が均等になり、その結果、ＰＡＰＲの増加を低減することが可能である。
【０２２７】
３．ＤＰＤＣＨが最大２本以上伝送可能であり、且つ、ＨＳ−ＤＰＣＣＨが設定されている場合
上記表２３に示すコードの割り当て規則が適用される。
【０２２８】
「第９の実施の形態」
多数本のＥ−ＤＰＤＣＨ物理チャンネルが伝送される場合、ＰＡＰＲをさらに低めるために、下記の場合に限って、例外的にＳＦ＝２のＯＶＳＦコードをＥ−ＤＰＤＣＨに適用する。
【０２２９】
例えば、Ｅ−ＤＰＤＣＨのマルチコードの伝送のために（Ｉ、４、３）と（Ｉ、４、２）が同時にＥ−ＤＰＤＣＨに割り当てられる場合、上記２個のコードの代わりに、Ｅ−ＤＰＤＣＨは（Ｉ、２、１）を用いて伝送する。すなわち、ＩチャンネルにおいてＯＶＳＦコード（４、３）とＯＶＳＦコード（４、２）を同時に用いて伝送される場合、Ｅ−ＤＰＤＣＨは、ＩチャンネルにおいてＯＶＳＦコード（２、１）を用いて伝送される。
【０２３０】
上記のように、ＱチャンネルにおいてＯＶＳＦコード（４、３）とＯＶＳＦコード（４、２）が同時にＥ−ＤＰＤＣＨに割り当てられる場合、Ｅ−ＤＰＤＣＨは、ＱチャンネルにおいてＯＶＳＦコード（２、１）を用いて伝送される。すなわち、上記Ｅ−ＤＰＤＣＨは（Ｑ、２、１）を用いて伝送される。
【０２３１】
下記の第１０実施の形態においては、ＨＳ−ＤＰＣＣＨによって用いられていたＱチャンネルＯＶＳＦコード（２５６、６４）をはじめとして、ＯＶＳＦコード（４、１）から生成可能なコードをＥ−ＤＰＤＣＨがさらに用いる方法を提案する。または、ＤＰＤＣＨに割り当てられているコードをＥ−ＤＰＤＣＨがさらに用いる方法を提案する。
【０２３２】
「第１０の実施の形態」
Ｅ−ＤＰＤＣＨは、ＨＳ−ＤＰＣＣＨのために用いられていたＯＶＳＦコード（Ｑ、２５６、６４）を追加のＥ−ＤＰＤＣＨのために用いる。すなわち、ＨＳ−ＤＰＣＣＨがＱチャンネルにおいてＯＶＳＦコード（２５６、３２）を用いるようにして、ＥＵＤＣＨのデータ伝送率を保証する。この場合、Ｅ−ＤＰＤＣＨのＯＶＳＦコード及びＩ／Ｑチャンネルの割り当て方法をまとめると、下記の通りである。
【０２３３】
１．２以下のＥ−ＤＰＤＣＨが伝送される場合
上記第１の実施の形態ないし第５の実施の形態において提案した方法を適用する。
【０２３４】
２．３本のＥ−ＤＰＤＣＨが伝送される場合
Ｅ−ＤＰＤＣＨ１とＥ−ＤＰＤＣＨ２は、ＯＶＳＦコード（２、１）を用いてそれぞれＩチャンネル及びＱチャンネルに割り当てられる。
【０２３５】
Ｅ−ＤＰＤＣＨ３は、ＯＶＳＦコード（４、１）を用いてＱチャンネルに割り当てられる。このとき、上記Ｅ−ＤＰＤＣＨ３を介して伝送されるデータには、ＢＰＳＫ変調が適用される。
【０２３６】
または、ＤＰＤＣＨに用いられるＯＶＳＦコードをＥ−ＤＰＤＣＨのために用いる方法は、下記の通りである。
【０２３７】
１．３本以下のＥ−ＤＰＤＣＨが伝送される場合
上記第６の実施の形態ないし第９の実施の形態において提案した方法を適用する。。
【０２３８】
２．４本のＥ−ＤＰＤＣＨが伝送される場合
ＤＰＤＣＨが伝送されていない場合、ＩチャンネルにおいてＯＶＳＦコード（４、１）を用いて４番目のＥ−ＤＰＤＣＨを伝送する。
【図面の簡単な説明】
【０２３９】
【図１】上りリンク伝送を行うユーザー端末と基地局を示す図である。
【図２】上りリンク伝送を行うためにユーザー端末と基地局との間に送受される情報を示す図である。
【図３】通常のＯＶＳＦコードのツリー構造を示す図である。
【図４】本発明によるユーザー端末の送信構造を示す図である。
【図５】本発明による多数の物理チャンネルのＰＡＰＲを比較した結果を示す図である。
【符号の説明】
【０２４０】
１００・・・ノードＢ
１１０、１１２、１１４、１１６・・・ＵＥ
１２０・・・最も高い逆方向チャンネルの送信電力
１２４・・・最も低い逆方向チャンネルの送信電力
２００・・・ノードＢ
２０２・・・ＵＥ
４００・・・ＥＵＤＣＨデータバッファ４００
４０２・・・ＥＵＤＣＨ伝送制御部４０２
４０４・・・ＥＵＤＣＨパケット伝送部４０４
４０６、４０８、４１６、４１８、４２２、４２４、４２８、４３０、４３２、４３４、４３８、４４６、４４８、４５０・・・乗算器
４２６、４３６、４４０・・・加算器
４５２・・・パルス成形フィルタ
４５４・・・ＲＦモジュール
４５６・・・アンテナ
【図１】
2007535233.tif 000030
【図２】
2007535233.tif 000031
【図３】
2007535233.tif 000032
【図４】
2007535233.tif 000033
【図５】
2007535233.tif 000034
【手続補正書】
【提出日】平成17年12月14日(2005.12.14)
【手続補正１】
【補正対象書類名】特許請求の範囲
【補正対象項目名】全文
【補正方法】変更
【補正の内容】
【特許請求の範囲】
【請求項１】
移動通信システムにおける向上したパケットデータを伝送する方法において、
下りリンク高速パケット接続（ＨＳＤＰＡ）が設定されている場合、同相（Ｉ）チャンネルを通る１番目の拡張専用物理データチャンネル（Ｅ−ＤＰＤＣＨ）を生成すると共に、直交（Ｑ）チャンネルを通る２番目のＥ−ＤＰＤＣＨを生成し、下りリンク高速パケット接続（ＨＳＤＰＡ）が設定されていない場合、Ｑチャンネルを通る１番目のＥ−ＤＰＤＣＨを生成すると共に、Ｉチャンネルを通る２番目のＥ−ＤＰＤＣＨを生成するステップと、
Ｉチャンネルを用いて拡張専用物理制御チャンネル（Ｅ−ＤＰＣＣＨ）を生成するステップと、
前記Ｅ−ＤＰＤＣＨと前記Ｅ−ＤＰＣＣＨを加算して伝送するステップと、を含むことを特徴とする前記方法。
【請求項２】
前記Ｅ−ＤＰＣＣＨは、ＩチャンネルにおいてＯＶＳＦコード（２５６、１）により拡散されて伝送されることを特徴とする請求項１に記載の前記方法。
【請求項３】
１本のＤＰＤＣＨが設定されている場合、高速専用物理制御チャンネル（ＨＳ−ＤＰＣＣＨ）は、ＱチャンネルにおいてＯＶＳＦコード（２５６、６４）により拡散されて伝送されることを特徴とする請求項１に記載の前記方法。
【請求項４】
前記Ｅ−ＤＰＤＣＨの拡散率がＳＦＤＰＤＣＨであるとしたとき、直交可変拡散率（ＯＶＳＦ）コード（ＳＦＤＰＤＣＨ、ＳＦＤＰＤＣＨ／２）が割り当てられることを特徴とする請求項１に記載の前記方法。
【請求項５】
ＳＦＥ−ＤＰＤＣＨが２であり、且つ、同時に２本のＥ−ＤＰＤＣＨを伝送する場合、それぞれＩチャンネル及びＱチャンネルにおいてＯＶＳＦコード（２、１）により拡散されるＥ−ＤＰＤＣＨ１とＥ−ＤＰＤＣＨ２を生成するステップを含むことを特徴とする請求項４に記載の前記方法。
【請求項６】
前記ＤＰＤＣＨが伝送されていない場合、それぞれＩチャンネル及びＱチャンネルにおいてＯＶＳＦコード（４、１）を用いて３番目のＥ−ＤＰＣＣＨ及び４番目のＥ−ＤＰＣＣＨを生成するステップを含むことを特徴とする請求項４に記載の前記方法。
【請求項７】
移動通信システムにおけるパケットデータを伝送する方法において、
直交可変拡散率（ＯＶＳＦ）コード（２５６、０）とＱチャンネルを用いて専用物理制御チャンネル（ＤＰＣＣＨ）を生成するステップと、
専用物理データチャンネル（ＤＰＤＣＨ）の拡散率がＳＦＤＰＤＣＨであるとしたとき、前記ＯＶＳＦコード（ＳＦＤＰＤＣＨ、ＳＦＤＰＤＣＨ／４）とＩチャンネルを用いてＤＰＤＣＨを生成するステップと、
向上した上りリンクパケットデータの伝送を支援するための拡張専用物理制御チャンネル（Ｅ−ＤＰＣＣＨ）に割り当てられるＯＶＳＦコードの拡散率がＳＦＥ−ＤＰＣＣＨであるとしたとき、ＯＶＳＦコード（ＳＦＥ−ＤＰＣＣＨ、１）とＩチャンネルを用いてＥ−ＤＰＣＣＨを生成するステップと、
前記向上した上りリンクパケットデータの伝送を支援するための拡張専用物理データチャンネル（Ｅ−ＤＰＤＣＨ）に割り当てられるＯＶＳＦコードの拡散率がＳＦＥ−ＤＰＤＣＨであるとしたとき、ＯＶＳＦコード（ＳＦＥ−ＤＰＤＣＨ、ＳＦＥ−ＤＰＤＣＨ／２）とＱチャンネルを用いてＥ−ＤＰＤＣＨを生成するステップと、を含むことを特徴とする前記方法。
【請求項８】
ＳＦＥ−ＤＰＤＣＨが４であり、且つ、同時に２本のＥ−ＤＰＤＣＨを伝送する場合、それぞれＩチャンネル及びＱチャンネルにおいてＯＶＳＦコード（４、２）により拡散されるＥ−ＤＰＤＣＨ１とＥ−ＤＰＤＣＨ２を同時に生成するステップをさらに含むことを特徴とする請求項７に記載の前記方法。
【請求項９】
ＳＦＥ−ＤＰＤＣＨが２であり、且つ、同時に２本のＥ−ＤＰＤＣＨを伝送する場合、それぞれＩチャンネル及びＱチャンネルにおいてＯＶＳＦコード（２、１）により拡散されるＥ−ＤＰＤＣＨ１とＥ−ＤＰＤＣＨ２を生成するステップをさらに含むことを特徴とする請求項７に記載の前記方法。
【請求項１０】
ＳＦＥ−ＤＰＤＣＨが２であり、且つ、１本のＥ−ＤＰＤＣＨを伝送する場合、ＱチャンネルにおいてＯＶＳＦコード（２、１）により拡散されるＥ−ＤＰＤＣＨを生成するステップをさらに含むことを特徴とする請求項７に記載の前記方法。
【請求項１１】
Ｅ−ＤＰＣＣＨを伝送する場合、ＩチャンネルにおいてＯＶＳＦコード（２５６、１）により拡散されるＥ−ＤＰＣＣＨを生成することを特徴とする請求項７に記載の前記方法。
【請求項１２】
下りリンク高速パケット接続（ＨＳＤＰＡ）サービスがなされている場合、ＯＶＳＦコード（２５６、６４）とＱチャンネルを用いて高速専用物理制御チャンネル（ＨＳ−ＤＰＣＣＨ）を生成するステップをさらに含むことを特徴とする請求項７に記載の前記方法。
【請求項１３】
前記ＤＰＤＣＨが伝送されていない場合、ＯＶＳＦコード（４、１）を用いて３番目のＥ−ＤＰＣＣＨ及び４番目のＥ−ＤＰＣＣＨを生成するステップをさらに含むことを特徴とする請求項７に記載の前記方法。
【請求項１４】
３番目のＥ−ＤＰＣＣＨはＯＶＳＦコード（４、１）とＩチャンネルを用いて生成し、且つ、４番目のＥ−ＤＰＣＣＨはＯＶＳＦコード（４、１）とＱチャンネルを用いて生成するステップをさらに含むことを特徴とする請求項１３に記載の前記方法。
【請求項１５】
移動通信システムにおける向上したパケットデータサービスを支援する装置において、
下りリンク高速パケット接続（ＨＳＤＰＡ）が設定されている場合、１番目の拡張専用物理データチャンネル（Ｅ−ＤＰＤＣＨ）を同相（Ｉ）チャンネルに割り当てると共に、２番目のＥ−ＤＰＤＣＨを直交（Ｑ）チャンネルに割り当て、下りリンク高速パケット接続（ＨＳＤＰＡ）が設定されていない場合、１番目のＥ−ＤＰＤＣＨをＱチャンネルに割り当て、２番目のＥ−ＤＰＤＣＨをＩチャンネルに割り当て、拡張専用物理制御チャンネル（Ｅ−ＤＰＣＣＨ）をＩチャンネルに割り当てるように制御する制御部と、
前記制御部の制御下で、前記Ｅ−ＤＰＤＣＨとＥ−ＤＰＣＣＨを拡散する拡散部と、
前記拡散されたＥ−ＤＰＤＣＨとＥ−ＤＰＣＣＨを加算する加算部と、
前記加算された信号を伝送する伝送部と、を備えることを特徴とする前記装置。
【請求項１６】
前記制御部は、ＩチャンネルにおいてＥ−ＤＰＣＣＨをＯＶＳＦコード（２５６、１）に割り当てることを特徴とする請求項１５に記載の前記装置。
【請求項１７】
１本のＤＰＤＣＨが設定されている場合、前記制御部は、Ｑチャンネルにおいて高速専用物理制御チャンネル（ＨＳ−ＤＰＣＣＨ）をＯＶＳＦコード（２５６、６４）に割り当てることを特徴とする請求項１５に記載の前記装置。
【請求項１８】
前記制御部は、Ｅ−ＤＰＤＣＨの拡散率がＳＦＤＰＤＣＨであるとしたとき、前記Ｅ−ＤＰＤＣＨを直交可変拡散率（ＯＶＳＦ）コード（ＳＦＤＰＤＣＨ、ＳＦＤＰＤＣＨ／２）に割り当てることを特徴とする請求項１５に記載の前記装置。
【請求項１９】
前記制御部は、ＳＦＥ−ＤＰＤＣＨが２であり、且つ、同時に２本のＥ−ＤＰＤＣＨを伝送する場合、それぞれＩチャンネル及びＱチャンネルにおいてＥ−ＤＰＤＣＨ１とＥ−ＤＰＤＣＨ２をＯＶＳＦコード（２、１）に割り当てることを特徴とする請求項１８に記載の前記装置。
【請求項２０】
前記制御部は、前記ＤＰＤＣＨが伝送されていない場合、それぞれＩチャンネル及びＱチャンネルにおいて３番目のＥ−ＤＰＣＣＨ及び４番目のＥ−ＤＰＣＣＨをＯＶＳＦコード（４、１）に割り当てることを特徴とする請求項１８に記載の前記装置。
【請求項２１】
移動通信システムにおけるパケットデータを伝送する装置において、
直交可変拡散率（ＯＶＳＦ）コード（２５６、０）とＱチャンネルを専用物理制御チャンネル（ＤＰＣＣＨ）に割り当て、専用物理データチャンネル（ＤＰＤＣＨ）の拡散率がＳＦＤＰＤＣＨであるとしたとき、前記ＯＶＳＦコード（ＳＦＤＰＤＣＨ、ＳＦＤＰＤＣＨ／４）とＩチャンネルをＤＰＤＣＨに割り当て、向上した上りリンクパケットデータの伝送を支援するための拡張専用物理制御チャンネル（Ｅ−ＤＰＣＣＨ）に割り当てられるＯＶＳＦコードの拡散率がＳＦＥ−ＤＰＣＣＨであるとしたとき、ＯＶＳＦコード（ＳＦＥ−ＤＰＣＣＨ、１）とＩチャンネルにＥ−ＤＰＣＣＨを割り当て、前記向上した上りリンクパケットデータの伝送を支援するための拡張専用物理データチャンネル（Ｅ−ＤＰＤＣＨ）に割り当てられるＯＶＳＦコードの拡散率がＳＦＥ−ＤＰＤＣＨであるとしたとき、ＯＶＳＦコード（ＳＦＥ−ＤＰＤＣＨ、ＳＦＥ−ＤＰＤＣＨ／２）とＱチャンネルにＥ−ＤＰＤＣＨを割り当てる制御部と、
前記制御部の制御下で、前記Ｅ−ＤＰＤＣＨとＥ−ＤＰＣＣＨを拡散する拡散部と、
前記拡散されたＥ−ＤＰＤＣＨとＥ−ＤＰＣＣＨを加算する加算部と、
前記加算された信号を伝送する伝送部と、を備えることを特徴とする前記装置。
【請求項２２】
前記制御部は、ＳＦＥ−ＤＰＤＣＨが４であり、且つ、同時に２本のＥ−ＤＰＤＣＨを伝送する場合、それぞれＩチャンネル及びＱチャンネルにおいてＥ−ＤＰＤＣＨ１とＥ−ＤＰＤＣＨ２をＯＶＳＦコード（４、２）に割り当てることを特徴とする請求項２１に記載の前記装置。
【請求項２３】
前記制御部は、ＳＦＥ−ＤＰＤＣＨが２であり、且つ、同時に２本のＥ−ＤＰＤＣＨを伝送する場合、それぞれＩチャンネル及びＱチャンネルにおいてＥ−ＤＰＤＣＨ１とＥ−ＤＰＤＣＨ２をＯＶＳＦコード（２、１）に割り当てることを特徴とする請求項２１に記載の前記装置。
【請求項２４】
前記制御部は、ＳＦＥ−ＤＰＤＣＨが２であり、且つ、１本のＥ−ＤＰＤＣＨを伝送する場合、ＱチャンネルにおいてＥ−ＤＰＤＣＨをＯＶＳＦコード（２、１）に割り当てることを特徴とする請求項２１に記載の前記装置。
【請求項２５】
前記制御部は、ＩチャンネルにおいてＥ−ＤＰＣＣＨをＯＶＳＦコード（２５６、１）に割り当てることを特徴とする請求項２１に記載の前記装置。
【請求項２６】
前記制御部は、下りリンク高速パケット接続（ＨＳＤＰＡ）サービスがなされている場合、Ｑチャンネルにおいて高速専用物理制御チャンネル（ＨＳ−ＤＰＣＣＨ）をＯＶＳＦコード（２５６、６４）に割り当てることを特徴とする請求項２１に記載の前記装置。
【請求項２７】
前記制御部は、Ｑチャンネル及びＩチャンネルにおいて３番目のＥ−ＤＰＣＣＨ及び４番目のＥ−ＤＰＣＣＨをＯＶＳＦコード（４、１）に割り当てることを特徴とする請求項２１に記載の前記装置。
【請求項２８】
移動通信システムにおける向上したパケットデータを受信する方法において、
端末から伝送チャンネルの状態を示す情報を受信するステップと、
前記端末に拡張専用物理データチャンネル（Ｅ−ＤＰＤＣＨ）の伝送率情報を示すスケジューリング割り当て情報を伝送するステップと、
下りリンク高速パケット接続（ＨＳＤＰＡ）が設定されている場合、１番目のＥ−ＤＰＤＣＨを同相（Ｉ）チャンネルを介して受信すると共に、２番目のＥ−ＤＰＤＣＨを直交（Ｑ）チャンネルを介して受信し、下りリンク高速パケット接続（ＨＳＤＰＡ）が設定されていない場合、１番目のＥ−ＤＰＤＣＨをＱチャンネルを介して受信し、２番目のＥ−ＤＰＤＣＨをＩチャンネルを介して受信するステップと、
Ｉチャンネルを用いて拡張専用物理制御チャンネル（Ｅ−ＤＰＣＣＨ）を受信するステップと、を含むことを特徴とする前記方法。
【請求項２９】
前記Ｅ−ＤＰＣＣＨは、ＩチャンネルにおいてＯＶＳＦコード（２５６、１）を用いて受信されることを特徴とする請求項２８に記載の前記方法。
【請求項３０】
１本のＤＰＤＣＨが設定されている場合、前記ＨＳ−ＤＰＣＣＨは、ＱチャンネルにおいてＯＶＳＦコード（２５６、６４）を用いて受信されることを特徴とする請求項２８に記載の前記方法。
【請求項３１】
前記Ｅ−ＤＰＤＣＨの拡散率がＳＦＤＰＤＣＨであるとしたとき、直交可変拡散率（ＯＶＳＦ）コード（ＳＦＤＰＤＣＨ、ＳＦＤＰＤＣＨ／２）を用いて前記Ｅ−ＤＰＤＣＨを受信することを特徴とする請求項２８に記載の前記方法。
【請求項３２】
ＳＦＥ−ＤＰＤＣＨが２であり、且つ、同時に２本のＥ−ＤＰＤＣＨを伝送する場合、それぞれＩチャンネル及びＱチャンネルにおいてＯＶＳＦコード（２、１）を用いてＥ−ＤＰＤＣＨ１とＥ−ＤＰＤＣＨ２を受信することを特徴とする請求項３１に記載の前記方法。
【請求項３３】
前記ＤＰＤＣＨが伝送されていない場合、それぞれＩチャンネル及びＱチャンネルにおいてＯＶＳＦコード（４、１）を用いて３番目のＥ−ＤＰＣＣＨ及び４番目のＥ−ＤＰＣＣＨを受信することを特徴とする請求項３１に記載の前記方法。
【請求項３４】
移動通信システムにおける向上したパケットデータを受信する方法において、
端末から伝送チャンネルの状態を示す情報を受信するステップと、
前記端末に拡張専用物理データチャンネル（Ｅ−ＤＰＤＣＨ）の伝送率情報を示すスケジューリング割り当て情報を伝送するステップと、
直交可変拡散率（ＯＶＳＦ）コード（２５６、０）とＱチャンネルを用いて専用物理制御チャンネル（ＤＰＣＣＨ）を受信するステップと、
専用物理データチャンネル（ＤＰＤＣＨ）の拡散率がＳＦＤＰＤＣＨであるとしたとき、前記ＯＶＳＦコード（ＳＦＤＰＤＣＨ、ＳＦＤＰＤＣＨ／４）とＩチャンネルを用いてＤＰＤＣＨを受信するステップと、
向上した上りリンクパケットデータの伝送を支援するための拡張専用物理制御チャンネル（Ｅ−ＤＰＣＣＨ）に割り当てられるＯＶＳＦコードの拡散率がＳＦＥ−ＤＰＣＣＨであるとしたとき、ＯＶＳＦコード（ＳＦＥ−ＤＰＣＣＨ、１）とＩチャンネルを用いてＥ−ＤＰＣＣＨを受信するステップと、
前記向上した上りリンクパケットデータの伝送を支援するための拡張専用物理データチャンネル（Ｅ−ＤＰＤＣＨ）に割り当てられるＯＶＳＦコードの拡散率がＳＦＥ−ＤＰＤＣＨであるとしたとき、ＯＶＳＦコード（ＳＦＥ−ＤＰＤＣＨ、ＳＦＥ−ＤＰＤＣＨ／２）とＱチャンネルを用いてＥ−ＤＰＤＣＨを受信するステップと、を含むことを特徴とする前記方法。
【請求項３５】
ＳＦＥ−ＤＰＤＣＨが４であり、且つ、同時に２本のＥ−ＤＰＤＣＨを伝送する場合、それぞれＩチャンネル及びＱチャンネルにおいてＯＶＳＦコード（４、２）を用いてＥ−ＤＰＤＣＨ１とＥ−ＤＰＤＣＨ２を受信することを特徴とする請求項３４に記載の前記方法。
【請求項３６】
ＳＦＥ−ＤＰＤＣＨが２であり、且つ、同時に２本のＥ−ＤＰＤＣＨを伝送する場合、それぞれＩチャンネル及びＱチャンネルにおいてＯＶＳＦコード（２、１）を用いてＥ−ＤＰＤＣＨ１とＥ−ＤＰＤＣＨ２を受信することを特徴とする請求項３４に記載の前記方法。
【請求項３７】
ＳＦＥ−ＤＰＤＣＨが２であり、且つ、１本のＥ−ＤＰＤＣＨを伝送する場合、ＱチャンネルにおいてＯＶＳＦコード（２、１）を用いてＥ−ＤＰＤＣＨを受信することを特徴とする請求項３４に記載の前記方法。
【請求項３８】
Ｅ−ＤＰＣＣＨを伝送する場合、ＩチャンネルにおいてＯＶＳＦコード（２５６、１）を用いてＥ−ＤＰＣＣＨを受信することを特徴とする請求項３４に記載の前記方法。
【請求項３９】
下りリンク高速パケット接続（ＨＳＤＰＡ）サービスがなされている場合、ＯＶＳＦコード（２５６、６４）とＱチャンネルを用いて高速専用物理制御チャンネル（ＨＳ−ＤＰＣＣＨ）を受信することを特徴とする請求項３４に記載の前記方法。
【請求項４０】
前記ＤＰＤＣＨが伝送されていない場合、ＯＶＳＦコード（４、１）を用いて３番目のＥ−ＤＰＣＣＨ及び４番目のＥ−ＤＰＣＣＨを受信することを特徴とする請求項３４に記載の前記方法。
【請求項４１】
３番目のＥ−ＤＰＣＣＨはＯＶＳＦコード（４、１）とＩチャンネルを用いて受信し、且つ、４番目のＥ−ＤＰＣＣＨはＯＶＳＦコード（４、１）とＱチャンネルを用いて受信することを特徴とする請求項３４に記載の前記方法。
【請求項４２】
移動通信システムにおける向上したパケットデータを受信する装置において、
端末から伝送チャンネルの状態を示す情報を受信し、下りリンク高速パケット接続（ＨＳＤＰＡ）が設定されている場合、１番目の拡張専用物理データチャンネル（Ｅ−ＤＰＤＣＨ）を同相（Ｉ）チャンネルを介して受信すると共に、２番目のＥ−ＤＰＤＣＨを直交（Ｑ）チャンネルを介して受信し、下りリンク高速パケット接続（ＨＳＤＰＡ）が設定されていない場合、１番目のＥ−ＤＰＤＣＨをＱチャンネルを介して受信すると共に、２番目のＥ−ＤＰＤＣＨをＩチャンネルを介して受信し、Ｉチャンネルを用いてＥ−ＤＰＣＣＨを受信する受信部と、
前記端末にＥ−ＤＰＤＣＨの伝送率情報を示すスケジューリング割り当て情報を伝送する伝送部と、
前記受信部と送信部の動作を制御する制御部と、を備えることを特徴とする前記装置。
【請求項４３】
前記受信部は、拡張専用物理制御チャンネル（Ｅ−ＤＰＣＣＨ）をＩチャンネルにおいてＯＶＳＦコード（２５６、１）を用いて受信することを特徴とする請求項４２に記載の前記装置。
【請求項４４】
前記受信部は、１本のＤＰＤＣＨが設定されている場合、Ｑチャンネルにおいて高速専用物理制御チャンネル（ＨＳ−ＤＰＣＣＨ）をＯＶＳＦコード（２５６、６４）を用いて受信することを特徴とする請求項４２に記載の前記装置。
【請求項４５】
前記受信部は、Ｅ−ＤＰＤＣＨの拡散率がＳＦＤＰＤＣＨであるとしたとき、直交可変拡散率（ＯＶＳＦ）コード（ＳＦＤＰＤＣＨ、ＳＦＤＰＤＣＨ／２）を用いて前記Ｅ−ＤＰＤＣＨを受信することを特徴とする請求項４２に記載の前記装置。
【請求項４６】
前記受信部は、ＳＦＥ−ＤＰＤＣＨが２であり、且つ、同時に２本のＥ−ＤＰＤＣＨを伝送する場合、それぞれＩチャンネル及びＱチャンネルにおいてＯＶＳＦコード（２、１）を用いてＥ−ＤＰＤＣＨ１とＥ−ＤＰＤＣＨ２を受信することを特徴とする請求項４２に記載の前記装置。
【請求項４７】
前記受信部は、ＤＰＤＣＨが伝送されていない場合、それぞれＩチャンネル及びＱチャンネルにおいてＯＶＳＦコード（４、１）を用いて３番目のＥ−ＤＰＣＣＨ及び４番目のＥ−ＤＰＣＣＨを受信することを特徴とする請求項４２に記載の前記装置。
【請求項４８】
移動通信システムにおける向上したパケットデータを受信する装置において、
端末から伝送チャンネルの状態を示す情報を受信すると共に、直交可変拡散率（ＯＶＳＦ）コード（２５６、０）と直交（Ｑ）チャンネルを用いて専用物理制御チャンネル（ＤＰＣＣＨ）を受信し、ＤＰＤＣＨの拡散率がＳＦＤＰＤＣＨであるとしたとき、前記ＯＶＳＦコード（ＳＦＤＰＤＣＨ、ＳＦＤＰＤＣＨ／４）と同相（Ｉ）チャンネルを用いて専用物理データチャンネル（ＤＰＤＣＨ）を受信し、向上した上りリンクパケットデータの伝送を支援するための拡張専用物理制御チャンネル（Ｅ−ＤＰＣＣＨ）に割り当てられるＯＶＳＦコードの拡散率がＳＦＥ−ＤＰＣＣＨであるとしたとき、ＯＶＳＦコード（ＳＦＥ−ＤＰＣＣＨ、１）とＩチャンネルを用いてＥ−ＤＰＣＣＨを受信し、前記向上した上りリンクパケットデータの伝送を支援するための拡張専用物理データチャンネル（Ｅ−ＤＰＤＣＨ）に割り当てられるＯＶＳＦコードの拡散率がＳＦＥ−ＤＰＤＣＨであるとしたとき、ＯＶＳＦコード（ＳＦＥ−ＤＰＤＣＨ、ＳＦＥ−ＤＰＤＣＨ／２）とＱチャンネルを用いてＥ−ＤＰＤＣＨを受信する受信部と、
前記端末にＥ−ＤＰＤＣＨの伝送率情報を示すスケジューリング割り当て情報を伝送する伝送部と、
前記受信部と送信部の動作を制御する制御部と、を備えることを特徴とする前記装置。
【請求項４９】
前記受信部は、ＳＦＥ−ＤＰＤＣＨが４であり、且つ、同時に２本のＥ−ＤＰＤＣＨを伝送する場合、それぞれＩチャンネル及びＱチャンネルにおいてＯＶＳＦコード（４、２）を用いてＥ−ＤＰＤＣＨ１とＥ−ＤＰＤＣＨ２を受信することを特徴とする請求項４８に記載の前記装置。
【請求項５０】
前記受信部は、ＳＦＥ−ＤＰＤＣＨが２であり、且つ、同時に２本のＥ−ＤＰＤＣＨを伝送する場合、それぞれＩチャンネル及びＱチャンネルにおいてＯＶＳＦコード（２、１）を用いてＥ−ＤＰＤＣＨ１とＥ−ＤＰＤＣＨ２を受信することを特徴とする請求項４８に記載の前記装置。
【請求項５１】
前記受信部は、ＳＦＥ−ＤＰＤＣＨが２であり、且つ、１本のＥ−ＤＰＤＣＨを伝送する場合、ＱチャンネルにおいてＯＶＳＦコード（２、１）を用いてＥ−ＤＰＤＣＨを受信することを特徴とする請求項４８に記載の前記装置。
【請求項５２】
前記受信部は、Ｅ−ＤＰＣＣＨを伝送する場合、ＩチャンネルにおいてＯＶＳＦコード（２５６、１）を用いてＥ−ＤＰＣＣＨを受信することを特徴とする請求項４８に記載の前記装置。
【請求項５３】
前記受信部は、下りリンク高速パケット接続（ＨＳＤＰＡ）サービスがなされている場合、ＯＶＳＦコード（２５６、６４）とＱチャンネルを用いて高速専用物理制御チャンネル（ＨＳ−ＤＰＣＣＨ）を受信することを特徴とする請求項４８に記載の前記装置。
【請求項５４】
前記受信部は、前記ＤＰＤＣＨが伝送されていない場合、ＯＶＳＦコード（４、１）を用いて３番目のＥ−ＤＰＣＣＨ及び４番目のＥ−ＤＰＣＣＨを受信することを特徴とする請求項４８に記載の前記装置。
【請求項５５】
前記受信部は、３番目のＥ−ＤＰＣＣＨはＯＶＳＦコード（４、１）とＩチャンネルを用いて受信し、且つ、４番目のＥ−ＤＰＣＣＨはＯＶＳＦコード（４、１）とＱチャンネルを用いて受信することを特徴とする請求項４８に記載の前記装置。
【国際調査報告】
2007535233.tif 000035
2007535233.tif 000036
2007535233.tif 000037
2007535233.tif 000038